(57)【要約】【課題】輝度解像度だけでなく、色解像度も向上させ得る多原色表示装置を提供する。【解決手段】多原色表示装置（１００）は、各画素（Ｐ）を構成する複数のサブ画素を、第１および第２仮想画素（ＶＰ１、ＶＰ２）を含む複数の仮想画素に振り分け、各仮想画素により無彩色を表示することができる。多原色表示装置は、さらに、複数のサブ画素を第３および第４仮想画素（ＶＰ３、ＶＰ４）に振り分け、第３および第４仮想画素のそれぞれによりある有彩色を表示することができる。この有彩色は、色度図上で、第３仮想画素を構成する２つ以上のサブ画素のうちのある２つのサブ画素によって表示される２つの色同士を結ぶ第１の直線（Ｌ１）と、第４仮想画素を構成する２つ以上のサブ画素のうちのある２つのサブ画素によって表示される２つの色同士を結ぶ第２の直線（Ｌ２）との交点に対応する色である。【選択図】図９
2015141236.tif 000002
【特許請求の範囲】
【請求項１】
複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、
各画素を構成する前記複数のサブ画素を、第１仮想画素および第２仮想画素を含む複数の仮想画素に振り分け、前記複数の仮想画素のそれぞれにより無彩色を表示することができ、
さらに、各画素を構成する前記複数のサブ画素を、第３仮想画素および第４仮想画素に振り分け、前記第３仮想画素および前記第４仮想画素のそれぞれによりある有彩色を表示することができ、
前記第３仮想画素および前記第４仮想画素のそれぞれは、前記複数のサブ画素のうちの２つ以上のサブ画素によって構成されており、
前記ある有彩色は、色度図上で、前記第３仮想画素を構成する前記２つ以上のサブ画素のうちのある２つのサブ画素によって表示される２つの色同士を結ぶ第１の直線と、前記第４仮想画素を構成する前記２つ以上のサブ画素のうちのある２つのサブ画素によって表示される２つの色同士を結ぶ第２の直線との交点に対応する色である多原色表示装置。
【請求項２】
前記第３仮想画素によって表示される前記ある有彩色と、前記第４仮想画素によって表示される前記ある有彩色との輝度差ΔYSおよび色度差Δu'v'は、それぞれ３％以下および０．０２以下である請求項１に記載の多原色表示装置。
【請求項３】
前記第３仮想画素を構成する前記２つ以上のサブ画素は、連続するように配置されており、
前記第４仮想画素を構成する前記２つ以上のサブ画素は、連続するように配置されている請求項１または２に記載の多原色表示装置。
【請求項４】
各画素を構成する前記複数のサブ画素は、赤サブ画素、緑サブ画素、青サブ画素および黄サブ画素であり、
前記第３仮想画素は、前記赤サブ画素および前記緑サブ画素から構成されており、
前記第４仮想画素は、前記青サブ画素および前記黄サブ画素から構成されており、
前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である請求項１から３のいずれかに記載の多原色表示装置。
【請求項５】
前記赤サブ画素、前記緑サブ画素、前記青サブ画素および前記黄サブ画素は、行方向または列方向に沿ってこの順に配置されている請求項４に記載の多原色表示装置。
【請求項６】
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である請求項１から３のいずれかに記載の多原色表示装置。
【請求項７】
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記緑サブ画素および前記青サブ画素を含んでおり、
前記第４仮想画素を構成する前記２つ以上のサブ画素は、前記シアンサブ画素および前記黄サブ画素を含んでおり、
前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である請求項１から３のいずれかに記載の多原色表示装置。
【請求項８】
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記緑サブ画素および前記青サブ画素を含んでおり、
前記ある有彩色は、色度図上で、前記赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である請求項１から３のいずれかに記載の多原色表示装置。
【請求項９】
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である請求項１から３のいずれかに記載の多原色表示装置。
【請求項１０】
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記シアンサブ画素および前記黄サブ画素を含んでおり、
前記ある有彩色は、色度図上で、前記赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である請求項１から３のいずれかに記載の多原色表示装置。
【請求項１１】
前記複数の画素のそれぞれに前記複数のサブ画素を有する多原色表示パネルと、
３原色に対応した入力画像信号を、４つ以上の原色に対応した多原色画像信号に変換する信号変換回路と、を備える請求項１から１０のいずれかに記載の多原色表示装置。
【請求項１２】
液晶表示装置である請求項１から１１のいずれかに記載の多原色表示装置。
【発明の詳細な説明】
【技術分野】
【０００１】
本発明は、表示装置に関し、特に、４つ以上の原色を用いて表示を行う多原色表示装置に関する。
【背景技術】
【０００２】
一般的な表示装置では、光の三原色である赤、緑および青を表示する３つのサブ画素によって１つの画素が構成されており、そのことによってカラー表示が可能になっている。
【０００３】
しかしながら、従来の表示装置は、表示可能な色の範囲（「色再現範囲」と呼ばれる。）が狭いという問題を有している。色再現範囲が狭いと、物体色（自然界に存在する様々な物体の色である；非特許文献１参照）の一部を表示することができない。そこで、表示装置の色再現範囲を広くするために、表示に用いる原色の数を増やす手法が提案されている。
【０００４】
例えば、特許文献１には、６つの原色を用いて表示を行う表示装置が開示されている。また、特許文献１には、４つの原色を用いて表示を行う表示装置や、５つの原色を用いて表示を行う表示装置も開示されている。６つの原色を用いて表示を行う表示装置の一例を図７７に示す。図７７に示す表示装置８００では、赤サブ画素Ｒ、緑サブ画素Ｇ、青サブ画素Ｂ、シアンサブ画素Ｃ、マゼンタサブ画素Ｍおよび黄サブ画素Ｙによって１つの画素Ｐが構成される。この表示装置８００では、６つのサブ画素によって表示される赤、緑、青、シアン、マゼンタおよび黄の６つの原色を混色することにより、カラー表示が行われる。
【０００５】
表示に用いる原色の数を増やす、つまり、４つ以上の原色を用いて表示を行うことにより、三原色を用いて表示を行う従来の表示装置よりも色再現範囲を広くすることができる。本願明細書では、４つ以上の原色を用いて表示を行う表示装置を「多原色表示装置」と称し、３つの原色を用いて表示を行う（つまり従来の一般的な）表示装置を「三原色表示装置」と称する。
【０００６】
しかしながら、多原色表示装置で、三原色表示装置と同等の解像度を有する画像を表示するためには、画面サイズが同一の場合、デバイス構造の細密化が必要となり、生産コストが増大してしまう。これは、多原色表示装置では１画素あたりのサブ画素の数が３から４以上に増加するので、同一画面サイズで同一画素数を実現するためには、三原色表示装置と比べてサブ画素のサイズを小さくしなくてはならないからである。具体的には、表示に用いる原色の数をｍ（ｍ≧４）とすると、サブ画素のサイズを3／ｍにしなくてはならない。例えば、６つの原色を用いて表示を行う多原色表示装置では、サブ画素のサイズを１／２（＝３／６）にする必要がある。
【０００７】
そこで、多原色表示装置において、三原色表示装置と比べてサブ画素サイズを小さくすることなく、同等またはより高い解像度の画像を表示するための技術が、特許文献２に提案されている。図７８に示すように、特許文献２の多原色表示装置９００では、１つの画素Ｐを構成する複数のサブ画素ＳＰ１〜ＳＰ６を、複数の仮想的な画素（以下では「仮想画素」と呼ぶ）ＶＰ１、ＶＰ２に振り分け、各仮想画素を表示単位として表示を行うことができる。
【０００８】
図７９に、特許文献２の多原色表示装置９００が備える信号変換回路９２０を示す。信号変換回路９２０は、図７９に示すように、低域多原色信号生成部９２１と、高域輝度信号生成部９２２と、レンダリング処理部９２３とを有する。信号変換回路９２０は、さらに、γ補正部９２４と、逆γ補正部９２５とを有する。
【０００９】
信号変換回路９２０への入力画像信号は、まず、γ補正部９２４によってγ補正処理を施される。γ補正処理を施された画像信号は、次に、低域多原色信号生成部９２１と、高域輝度信号生成部９２２とにそれぞれ入力される。
【００１０】
低域多原色信号生成部９２１は、入力画像信号に基づいて、低域多原色信号を生成する。低域多原色信号は、入力画像信号の低域成分（相対的に空間周波数が低い成分）が多原色化された（つまり４つ以上の原色に対応するように変換がなされた）信号である。
【００１１】
低域多原色信号生成部９２１は、低域成分抽出部（ローパスフィルタ：ＬＰＦ）９２６と、多原色変換部９２７とを有する。ローパスフィルタ９２６は、入力画像信号から低域成分を抽出する。ローパスフィルタ９２６によって抽出された入力画像信号の低域成分は、多原色変換部９２７によって多原色化される。多原色化された低域成分は、低域多原色信号として出力される。
【００１２】
高域輝度信号生成部９２２は、入力画像信号に基づいて、高域輝度信号を生成する。高域輝度信号は、入力画像信号の高域成分（相対的に空間周波数が高い成分）が輝度変換された信号である。
【００１３】
高域輝度信号生成部９２２は、輝度変換部９２８と、高域成分抽出部（ハイバスフィルタ：ＨＰＦ）９２９とを有する。輝度変換部９２８は、入力画像信号を輝度変換して輝度信号を生成する。ハイパスフィルタ９２９は、輝度変換部９２８によって生成された輝度信号の高域成分を、高域輝度信号として抽出する。
【００１４】
レンダリング処理部９２３は、低域多原色信号生成部９２１によって生成された低域多原色信号と、高域輝度信号生成部９２２によって生成された高域輝度信号とに基づいて、複数の仮想画素へのレンダリング処理を行う。レンダリング処理部９２３は、複数の仮想画素への複数のサブ画素の振り分けパターンを規定する重み係数が格納された記憶部９２３ａを含んでおり、入力画像の解像度等に応じて好ましい重み係数を選択し、選択された重み係数で規定される振り分けパターンに従ってレンダリング処理を行う。レンダリング処理によって生成された画像信号は、逆γ補正部９２５によって逆γ補正を施され、多原色画像信号として出力される。
【００１５】
このように、信号変換回路９２０では、入力画像信号の低域成分に対しては多原色化処理を行い、高域成分に対しては輝度変換処理を行う。これらの処理によって得られた低域多原色信号と高域輝度信号とを組み合わせ、仮想画素へレンダリングすることにより、４つ以上の原色に対応した画像信号（多原色画像信号）を出力することができる。
【先行技術文献】
【特許文献】
【００１６】
【特許文献１】国際公開第２００６／０１８９２６号
【特許文献２】国際公開第２０１２／０６７０３８号
【非特許文献】
【００１７】
【非特許文献１】M. R. Pointer, "The gamut of real surface colors", Color Research and Application, Vol.5, No.3, pp.145-155 (1980)
【発明の概要】
【発明が解決しようとする課題】
【００１８】
しかしながら、特許文献２の多原色表示装置９００では、各仮想画素によって独立に表示され得るのは、黒、白およびグレー（つまり無彩色）である。従って、１画素内で複数の輝度情報を再現することはできるものの、複数の色情報を再現することはできない。そのため、特許文献２の多原色表示装置９００では、輝度解像度は向上するものの、色解像度は向上しない（図７９を参照しながら説明したように、入力画像信号の解像度を保つための高域成分は輝度信号に変換され、色解像度を保つことは考慮されていない）。
【００１９】
本発明は、上記問題に鑑みてなされたものであり、その目的は、輝度解像度だけでなく、色解像度も向上させ得る多原色表示装置を提供することにある。
【課題を解決するための手段】
【００２０】
本発明の実施形態による多原色表示装置は、複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、各画素を構成する前記複数のサブ画素を、第１仮想画素および第２仮想画素を含む複数の仮想画素に振り分け、前記複数の仮想画素のそれぞれにより無彩色を表示することができ、さらに、各画素を構成する前記複数のサブ画素を、第３仮想画素および第４仮想画素に振り分け、前記第３仮想画素および前記第４仮想画素のそれぞれによりある有彩色を表示することができ、前記第３仮想画素および前記第４仮想画素のそれぞれは、前記複数のサブ画素のうちの２つ以上のサブ画素によって構成されており、前記ある有彩色は、色度図上で、前記第３仮想画素を構成する前記２つ以上のサブ画素のうちのある２つのサブ画素によって表示される２つの色同士を結ぶ第１の直線と、前記第４仮想画素を構成する前記２つ以上のサブ画素のうちのある２つのサブ画素によって表示される２つの色同士を結ぶ第２の直線との交点に対応する色である。
【００２１】
ある実施形態において、前記第３仮想画素によって表示される前記ある有彩色と、前記第４仮想画素によって表示される前記ある有彩色との輝度差ΔYSおよび色度差Δu'v'は、それぞれ３％以下および０．０２以下である。
【００２２】
ある実施形態において、前記第３仮想画素を構成する前記２つ以上のサブ画素は、連続するように配置されており、前記第４仮想画素を構成する前記２つ以上のサブ画素は、連続するように配置されている。
【００２３】
ある実施形態において、各画素を構成する前記複数のサブ画素は、赤サブ画素、緑サブ画素、青サブ画素および黄サブ画素であり、前記第３仮想画素は、前記赤サブ画素および前記緑サブ画素から構成されており、前記第４仮想画素は、前記青サブ画素および前記黄サブ画素から構成されており、前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である。
【００２４】
ある実施形態において、前記赤サブ画素、前記緑サブ画素、前記青サブ画素および前記黄サブ画素は、行方向または列方向に沿ってこの順に配置されている。
【００２５】
ある実施形態において、各画素を構成する前記複数のサブ画素は、赤サブ画素、緑サブ画素、青サブ画素、シアンサブ画素および黄サブ画素であり、前記第３仮想画素を構成する前記２つ以上のサブ画素は、前記赤サブ画素および前記緑サブ画素を含んでおり、前記第４仮想画素を構成する前記２つ以上のサブ画素は、前記青サブ画素および前記黄サブ画素を含んでおり、前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である。
【００２６】
ある実施形態において、各画素を構成する前記複数のサブ画素は、赤サブ画素、緑サブ画素、青サブ画素、シアンサブ画素および黄サブ画素であり、前記第３仮想画素を構成する前記２つ以上のサブ画素は、前記緑サブ画素および前記青サブ画素を含んでおり、前記第４仮想画素を構成する前記２つ以上のサブ画素は、前記シアンサブ画素および前記黄サブ画素を含んでおり、前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である。
【００２７】
ある実施形態において、各画素を構成する前記複数のサブ画素は、赤サブ画素、緑サブ画素、青サブ画素、シアンサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記緑サブ画素および前記青サブ画素を含んでおり、前記ある有彩色は、色度図上で、前記赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である。
【００２８】
ある実施形態において、各画素を構成する前記複数のサブ画素は、赤サブ画素、緑サブ画素、青サブ画素、シアンサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記青サブ画素および前記黄サブ画素を含んでおり、前記ある有彩色は、色度図上で、前記赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である。
【００２９】
ある実施形態において、各画素を構成する前記複数のサブ画素は、赤サブ画素、緑サブ画素、青サブ画素、シアンサブ画素および黄サブ画素であり、前記第３仮想画素を構成する前記２つ以上のサブ画素は、前記赤サブ画素および前記緑サブ画素を含んでおり、前記第４仮想画素を構成する前記２つ以上のサブ画素は、前記シアンサブ画素および前記黄サブ画素を含んでおり、前記ある有彩色は、色度図上で、前記赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である。
【００３０】
ある実施形態において、各画素を構成する前記複数のサブ画素は、互いに同じ色を表示する２つのサブ画素を含んでおり、前記多原色表示装置は、前記２つのサブ画素の一方のみから構成される第５仮想画素および前記２つのサブ画素の他方のみから構成される第６仮想画素のそれぞれにより別のある有彩色を表示することができる。
【００３１】
ある実施形態において、各画素を構成する前記複数のサブ画素は、第１および第２の赤サブ画素、緑サブ画素、青サブ画素、シアンサブ画素および黄サブ画素であり、前記第３仮想画素を構成する前記２つ以上のサブ画素は、前記第１の赤サブ画素および前記緑サブ画素を含んでおり、前記第４仮想画素を構成する前記２つ以上のサブ画素は、前記青サブ画素および前記黄サブ画素を含んでおり、前記ある有彩色は、色度図上で、前記第１の赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である。
【００３２】
ある実施形態において、各画素を構成する前記複数のサブ画素は、第１および第２の赤サブ画素、緑サブ画素、青サブ画素、シアンサブ画素および黄サブ画素であり、前記第３仮想画素を構成する前記２つ以上のサブ画素は、前記緑サブ画素および前記青サブ画素を含んでおり、前記第４仮想画素を構成する前記２つ以上のサブ画素は、前記シアンサブ画素および前記黄サブ画素を含んでおり、前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である。
【００３３】
ある実施形態において、各画素を構成する前記複数のサブ画素は、第１および第２の赤サブ画素、緑サブ画素、青サブ画素、シアンサブ画素および黄サブ画素であり、前記第３仮想画素を構成する前記２つ以上のサブ画素は、前記第１の赤サブ画素および前記シアンサブ画素を含んでおり、前記第４仮想画素を構成する前記２つ以上のサブ画素は、前記緑サブ画素および前記青サブ画素を含んでおり、前記ある有彩色は、色度図上で、前記第１の赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である。
【００３４】
ある実施形態において、各画素を構成する前記複数のサブ画素は、第１および第２の赤サブ画素、緑サブ画素、青サブ画素、シアンサブ画素および黄サブ画素であり、前記第３仮想画素を構成する前記２つ以上のサブ画素は、前記第１の赤サブ画素および前記シアンサブ画素を含んでおり、前記第４仮想画素を構成する前記２つ以上のサブ画素は、前記青サブ画素および前記黄サブ画素を含んでおり、前記ある有彩色は、色度図上で、前記第１の赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である。
【００３５】
ある実施形態において、各画素を構成する前記複数のサブ画素は、第１および第２の赤サブ画素、緑サブ画素、青サブ画素、シアンサブ画素および黄サブ画素であり、前記第３仮想画素を構成する前記２つ以上のサブ画素は、前記第１の赤サブ画素および前記緑サブ画素を含んでおり、前記第４仮想画素を構成する前記２つ以上のサブ画素は、前記シアンサブ画素および前記黄サブ画素を含んでおり、前記ある有彩色は、色度図上で、前記第１の赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である。
【００３６】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記緑サブ画素を含んでおり、前記第４仮想画素を構成する前記２つ以上のサブ画素は、前記シアンサブ画素および前記黄サブ画素を含んでおり、前記ある有彩色は、色度図上で、前記赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である。
【００３７】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記緑サブ画素を含んでおり、前記第４仮想画素を構成する前記２つ以上のサブ画素は、前記青サブ画素および前記黄サブ画素を含んでおり、前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である。
【００３８】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記緑サブ画素を含んでおり、前記第４仮想画素を構成する前記２つ以上のサブ画素は、前記マゼンタサブ画素および前記黄サブ画素を含んでおり、前記ある有彩色は、色度図上で、前記赤サブ画素および前記緑サブ画素によって表示される赤および緑を結ぶ前記第１の直線と、前記マゼンタサブ画素および前記黄サブ画素によって表示されるマゼンタおよび黄を結ぶ前記第２の直線との交点に対応する色である。
【００３９】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記青サブ画素および前記黄サブ画素を含んでおり、前記ある有彩色は、色度図上で、前記赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である。
【００４０】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記マゼンタサブ画素および前記黄サブ画素を含んでおり、前記ある有彩色は、色度図上で、前記赤サブ画素および前記シアンサブ画素によって表示される赤およびシアンを結ぶ前記第１の直線と、前記マゼンタサブ画素および前記黄サブ画素によって表示されるマゼンタおよび黄を結ぶ前記第２の直線との交点に対応する色である。
【００４１】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記緑サブ画素および前記青サブ画素を含んでおり、前記ある有彩色は、色度図上で、前記赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である。
【００４２】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記シアンサブ画素を含んでおり、前記第４仮想画素を構成する前記２つ以上のサブ画素は、前記緑サブ画素および前記マゼンタサブ画素を含んでおり、前記ある有彩色は、色度図上で、前記赤サブ画素および前記シアンサブ画素によって表示される赤およびシアンを結ぶ前記第１の直線と、前記緑サブ画素および前記マゼンタサブ画素によって表示される緑およびマゼンタを結ぶ前記第２の直線との交点に対応する色である。
【００４３】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記青サブ画素を含んでおり、前記第４仮想画素を構成する前記２つ以上のサブ画素は、前記マゼンタサブ画素および前記黄サブ画素を含んでおり、前記ある有彩色は、色度図上で、前記赤サブ画素および前記青サブ画素によって表示される赤および青を結ぶ前記第１の直線と、前記マゼンタサブ画素および前記黄サブ画素によって表示されるマゼンタおよび黄を結ぶ前記第２の直線との交点に対応する色である。
【００４４】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記青サブ画素を含んでおり、前記第４仮想画素を構成する前記２つ以上のサブ画素は、前記緑サブ画素および前記マゼンタサブ画素を含んでおり、前記ある有彩色は、色度図上で、前記赤サブ画素および前記青サブ画素によって表示される赤および青を結ぶ前記第１の直線と、前記緑サブ画素および前記マゼンタサブ画素によって表示される緑およびマゼンタを結ぶ前記第２の直線との交点に対応する色である。
【００４５】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記赤サブ画素および前記青サブ画素を含んでおり、前記第４仮想画素を構成する前記２つ以上のサブ画素は、前記シアンサブ画素および前記マゼンタサブ画素を含んでおり、前記ある有彩色は、色度図上で、前記赤サブ画素および前記青サブ画素によって表示される赤および青を結ぶ前記第１の直線と、前記シアンサブ画素および前記マゼンタサブ画素によって表示されるシアンおよびマゼンタを結ぶ前記第２の直線との交点に対応する色である。
【００４６】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記緑サブ画素および前記青サブ画素を含んでおり、前記第４仮想画素を構成する前記２つ以上のサブ画素は、前記シアンサブ画素および前記黄サブ画素を含んでおり、前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である。
【００４７】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記緑サブ画素および前記マゼンタサブ画素を含んでおり、前記第４仮想画素を構成する前記２つ以上のサブ画素は、前記シアンサブ画素および前記黄サブ画素を含んでおり、前記ある有彩色は、色度図上で、前記緑サブ画素および前記マゼンタサブ画素によって表示される緑およびマゼンタを結ぶ前記第１の直線と、前記シアンサブ画素および前記黄サブ画素によって表示されるシアンおよび黄を結ぶ前記第２の直線との交点に対応する色である。
【００４８】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記緑サブ画素および前記マゼンタサブ画素を含んでおり、前記第４仮想画素を構成する前記２つ以上のサブ画素は、前記青サブ画素および前記黄サブ画素を含んでおり、前記ある有彩色は、色度図上で、前記緑サブ画素および前記マゼンタサブ画素によって表示される緑およびマゼンタを結ぶ前記第１の直線と、前記青サブ画素および前記黄サブ画素によって表示される青および黄を結ぶ前記第２の直線との交点に対応する色である。
【００４９】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記青サブ画素および前記黄サブ画素を含んでおり、前記第４仮想画素を構成する前記２つ以上のサブ画素は、前記シアンサブ画素および前記マゼンタサブ画素を含んでおり、前記ある有彩色は、色度図上で、前記青サブ画素および前記黄サブ画素によって表示される青および黄を結ぶ前記第１の直線と、前記シアンサブ画素および前記マゼンタサブ画素によって表示されるシアンおよびマゼンタを結ぶ前記第２の直線との交点に対応する色である。
【００５０】
ある実施形態において、各画素を構成する前記複数のサブ画素は、赤サブ画素、緑サブ画素、青サブ画素、シアンサブ画素、マゼンタサブ画素および黄サブ画素であり、前記第３仮想画素を構成する前記２つ以上のサブ画素は、前記緑サブ画素および前記青サブ画素を含んでおり、前記第４仮想画素を構成する前記２つ以上のサブ画素は、前記シアンサブ画素および前記マゼンタサブ画素を含んでおり、前記ある有彩色は、色度図上で、前記緑サブ画素および前記青サブ画素によって表示される緑および青を結ぶ前記第１の直線と、前記シアンサブ画素および前記マゼンタサブ画素によって表示されるシアンおよびマゼンタを結ぶ前記第２の直線との交点に対応する色である。
【００５１】
あるいは、本発明の実施形態による多原色表示装置は、複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、各画素を構成する前記複数のサブ画素を、第１仮想画素および第２仮想画素を含む複数の仮想画素に振り分け、前記複数の仮想画素のそれぞれにより無彩色を表示することができ、さらに、各画素を構成する前記複数のサブ画素を、第３仮想画素および第４仮想画素に振り分け、前記第３仮想画素および前記第４仮想画素のそれぞれによりある有彩色を表示することができ、前記第３仮想画素は、前記複数のサブ画素のうちの２つ以上のサブ画素によって構成されており、前記第４仮想画素は、前記複数のサブ画素のうちの３つ以上のサブ画素によって構成されており、前記ある有彩色は、色度図上で、前記第３仮想画素を構成する前記２つ以上のサブ画素のうちのある２つのサブ画素によって表示される２つの色同士を結ぶ直線と、前記第４仮想画素を構成する前記３つ以上のサブ画素のうちの少なくとも３つのサブ画素によって表示される少なくとも３つの色を頂点とする多角形とが重なる領域に対応する色である。
【００５２】
あるいは、本発明の実施形態による多原色表示装置は、複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、各画素を構成する前記複数のサブ画素を、第１仮想画素および第２仮想画素を含む複数の仮想画素に振り分け、前記複数の仮想画素のそれぞれにより無彩色を表示することができ、さらに、各画素を構成する前記複数のサブ画素を、第３仮想画素および第４仮想画素に振り分け、前記第３仮想画素および前記第４仮想画素のそれぞれによりある有彩色を表示することができ、前記第３仮想画素および前記第４仮想画素のそれぞれは、前記複数のサブ画素のうちの３つ以上のサブ画素によって構成されており、前記ある有彩色は、色度図上で、前記第３仮想画素を構成する前記３つ以上のサブ画素のうちの少なくとも３つのサブ画素によって表示される少なくとも３つの色を頂点とする第１の多角形と、前記第４仮想画素を構成する前記３つ以上のサブ画素のうちの少なくとも３つのサブ画素によって表示される少なくとも３つの色を頂点とする第２の多角形とが重なる領域に対応する色である。
【００５３】
ある実施形態において、本発明による多原色表示装置は、前記複数の画素のそれぞれに前記複数のサブ画素を有する多原色表示パネルと、３原色に対応した入力画像信号を、４つ以上の原色に対応した多原色画像信号に変換する信号変換回路と、を備える。
【００５４】
ある実施形態において、本発明による多原色表示装置は、液晶表示装置である。
【発明の効果】
【００５５】
本発明の実施形態によると、輝度解像度だけでなく、色解像度も向上させ得る多原色表示装置が提供される。
【図面の簡単な説明】
【００５６】
【図１】本発明の実施形態における液晶表示装置（多原色表示装置）１００を模式的に示すブロック図である。
【図２】液晶表示装置１００が備える多原色表示パネル１０のサブ画素配置の例を示す図である。
【図３】液晶表示装置１００が備える多原色表示パネル１０のサブ画素配置の例を示す図である。
【図４】液晶表示装置１００が備える多原色表示パネル１０のサブ画素配置の例を示す図である。
【図５】無彩色を表示するための仮想画素へのサブ画素の振り分けパターンの例を示す図である。
【図６】無彩色を表示するための仮想画素へのサブ画素の振り分けパターンの例を示す図である。
【図７】無彩色を表示するための仮想画素へのサブ画素の振り分けパターンの例を示す図である。
【図８】有彩色を表示するための仮想画素へのサブ画素の振り分けパターンの例を示す図である。
【図９】６つのサブ画素ＳＰ１〜ＳＰ６によって表示される原色と、第３仮想画素ＶＰ３および第４仮想画素ＶＰ４のそれぞれによって表示される有彩色とを示す図である。
【図１０】液晶表示装置１００が備える信号変換回路２０の具体的な構成の例を示すブロック図である。
【図１１】入力信号で規定される赤、緑、青の輝度レベルＲ、Ｇ、Ｂと黄色信号Ｙとの関係を示す図である。
【図１２】実施形態１における画素Ｐを構成する複数のサブ画素を示す図である。
【図１３】実施形態１における第１仮想画素ＶＰ１および第２仮想画素ＶＰ２の例を示す図である。
【図１４】実施形態１における第３仮想画素ＶＰ３および第４仮想画素ＶＰ４の例を示す図である。
【図１５】図１４に示す第３仮想画素ＶＰ３および第４仮想画素ＶＰ４のそれぞれによって表示される有彩色ｃｃ１を示す図である。
【図１６】実施形態２における画素Ｐを構成する複数のサブ画素を示す図である。
【図１７】実施形態２における第１仮想画素ＶＰ１および第２仮想画素ＶＰ２の例を示す図である。
【図１８】（ａ）〜（ｄ）は、実施形態２における第３仮想画素ＶＰ３および第４仮想画素ＶＰ４の例を示す図である。
【図１９】図１８に示す第３仮想画素ＶＰ３および第４仮想画素ＶＰ４のそれぞれによって表示される有彩色ｃｃ２を示す図である。
【図２０】（ａ）〜（ｄ）は、実施形態２における第３仮想画素ＶＰ３および第４仮想画素ＶＰ４の例を示す図である。
【図２１】（ａ）〜（ｄ）は、実施形態２における第３仮想画素ＶＰ３および第４仮想画素ＶＰ４の例を示す図である。
【図２２】図２１に示す第３仮想画素ＶＰ３および第４仮想画素ＶＰ４のそれぞれによって表示される有彩色ｃｃ３を示す図である。
【図２３】（ａ）〜（ｄ）は、実施形態２における第３仮想画素ＶＰ３および第４仮想画素ＶＰ４の例を示す図である。
【図２４】（ａ）〜（ｄ）は、実施形態２における第３仮想画素ＶＰ３および第４仮想画素ＶＰ４の例を示す図である。
【図２５】図２４に示す第３仮想画素ＶＰ３および第４仮想画素ＶＰ４のそれぞれによって表示される有彩色ｃｃ４を示す図である。
【図２６】（ａ）〜（ｄ）は、実施形態２における第３仮想画素ＶＰ３および第４仮想画素ＶＰ４の例を示す図である。
【図２７】（ａ）〜（ｄ）は、実施形態２における第３仮想画素ＶＰ３および第４仮想画素ＶＰ４の例を示す図である。
【図２８】図２７に示す第３仮想画素ＶＰ３および第４仮想画素ＶＰ４のそれぞれによって表示される有彩色ｃｃ５を示す図である。
【図２９】（ａ）〜（ｄ）は、実施形態２における第３仮想画素ＶＰ３および第４仮想画素ＶＰ４の例を示す図である。
【図３０】（ａ）〜（ｄ）は、実施形態２における第３仮想画素ＶＰ３および第４仮想画素ＶＰ４の例を示す図である。
【図３１】図３０に示す第３仮想画素ＶＰ３および第４仮想画素ＶＰ４のそれぞれによって表示される有彩色ｃｃ６を示す図である。
【図３２】（ａ）〜（ｄ）は、実施形態２における第３仮想画素ＶＰ３および第４仮想画素ＶＰ４の例を示す図である。
【図３３】実施形態３における画素Ｐを構成する複数のサブ画素を示す図である。
【図３４】実施形態３における第１仮想画素ＶＰ１および第２仮想画素ＶＰ２の例を示す図である。
【図３５】（ａ）および（ｂ）は、実施形態３における第３仮想画素ＶＰ３および第４仮想画素ＶＰ４の例を示す図である。
【図３６】図３５に示す第３仮想画素ＶＰ３および第４仮想画素ＶＰ４のそれぞれによって表示される有彩色ｃｃ７を示す図である。
【図３７】（ａ）〜（ｄ）は、実施形態３における第３仮想画素ＶＰ３および第４仮想画素ＶＰ４の例を示す図である。
【図３８】（ａ）および（ｂ）は、実施形態３における第３仮想画素ＶＰ３および第４仮想画素ＶＰ４の例を示す図である。
【図３９】図３８に示す第３仮想画素ＶＰ３および第４仮想画素ＶＰ４のそれぞれによって表示される有彩色ｃｃ８を示す図である。
【図４０】（ａ）および（ｂ）は、実施形態３における第３仮想画素ＶＰ３および第４仮想画素ＶＰ４の例を示す図である。
【図４１】（ａ）および（ｂ）は、実施形態３における第３仮想画素ＶＰ３および第４仮想画素ＶＰ４の例を示す図である。
【図４２】図４１に示す第３仮想画素ＶＰ３および第４仮想画素ＶＰ４のそれぞれによって表示される有彩色ｃｃ９を示す図である。
【図４３】（ａ）および（ｂ）は、実施形態３における第３仮想画素ＶＰ３および第４仮想画素ＶＰ４の例を示す図である。
【図４４】（ａ）および（ｂ）は、実施形態３における第３仮想画素ＶＰ３および第４仮想画素ＶＰ４の例を示す図である。
【図４５】図４４に示す第３仮想画素ＶＰ３および第４仮想画素ＶＰ４のそれぞれによって表示される有彩色ｃｃ１０を示す図である。
【図４６】（ａ）および（ｂ）は、実施形態３における第３仮想画素ＶＰ３および第４仮想画素ＶＰ４の例を示す図である。
【図４７】（ａ）および（ｂ）は、実施形態３における第３仮想画素ＶＰ３および第４仮想画素ＶＰ４の例を示す図である。
【図４８】図４７に示す第３仮想画素ＶＰ３および第４仮想画素ＶＰ４のそれぞれによって表示される有彩色ｃｃ１１を示す図である。
【図４９】（ａ）および（ｂ）は、実施形態３における第３仮想画素ＶＰ３および第４仮想画素ＶＰ４の例を示す図である。
【図５０】実施形態３における第５仮想画素ＶＰ５および第６仮想画素ＶＰ６の例を示す図である。
【図５１】実施形態４における画素Ｐを構成する複数のサブ画素を示す図である。
【図５２】実施形態４における第１仮想画素ＶＰ１および第２仮想画素ＶＰ２の例を示す図である。
【図５３】（ａ）〜（ｆ）は、実施形態４における第３仮想画素ＶＰ３および第４仮想画素ＶＰ４の例を示す図である。
【図５４】（ａ）〜（ｆ）は、実施形態４における第３仮想画素ＶＰ３および第４仮想画素ＶＰ４の例を示す図である。
【図５５】図５３および図５４に示す第３仮想画素ＶＰ３および第４仮想画素ＶＰ４のそれぞれによって表示される有彩色ｃｃ１２を示す図である。
【図５６】（ａ）〜（ｄ）は、実施形態４における第３仮想画素ＶＰ３および第４仮想画素ＶＰ４の例を示す図である。
【図５７】（ａ）〜（ｄ）は、実施形態４における第３仮想画素ＶＰ３および第４仮想画素ＶＰ４の例を示す図である。
【図５８】（ａ）〜（ｄ）は、実施形態４における第３仮想画素ＶＰ３および第４仮想画素ＶＰ４の例を示す図である。
【図５９】（ａ）〜（ｄ）は、実施形態４における第３仮想画素ＶＰ３および第４仮想画素ＶＰ４の例を示す図である。
【図６０】（ａ）〜（ｄ）は、実施形態４における第３仮想画素ＶＰ３および第４仮想画素ＶＰ４の例を示す図である。
【図６１】赤サブ画素Ｒおよび緑サブ画素Ｇを含む第３仮想画素ＶＰ３と、青サブ画素Ｂおよび黄サブ画素Ｙを含む第４仮想画素ＶＰ４のそれぞれによって表示される有彩色ｃｃ１３を示す図である。
【図６２】赤サブ画素Ｒおよび緑サブ画素Ｇを含む第３仮想画素ＶＰ３と、マゼンタサブ画素Ｍおよび黄サブ画素Ｙを含む第４仮想画素ＶＰ４のそれぞれによって表示される有彩色ｃｃ１４を示す図である。
【図６３】赤サブ画素Ｒおよびシアンサブ画素Ｃを含む第３仮想画素ＶＰ３と、青サブ画素Ｂおよび黄サブ画素Ｙを含む第４仮想画素ＶＰ４のそれぞれによって表示される有彩色ｃｃ１５を示す図である。
【図６４】赤サブ画素Ｒおよびシアンサブ画素Ｃを含む第３仮想画素ＶＰ３と、マゼンタサブ画素Ｍおよび黄サブ画素Ｙを含む第４仮想画素ＶＰ４のそれぞれによって表示される有彩色ｃｃ１６を示す図である。
【図６５】赤サブ画素Ｒおよびシアンサブ画素Ｃを含む第３仮想画素ＶＰ３と、緑サブ画素Ｇおよび青サブ画素Ｂを含む第４仮想画素ＶＰ４のそれぞれによって表示される有彩色ｃｃ１７を示す図である。
【図６６】赤サブ画素Ｒおよびシアンサブ画素Ｃを含む第３仮想画素ＶＰ３と、緑サブ画素Ｇおよびマゼンタサブ画素Ｍを含む第４仮想画素ＶＰ４のそれぞれによって表示される有彩色ｃｃ１８を示す図である。
【図６７】赤サブ画素Ｒおよび青サブ画素Ｂを含む第３仮想画素ＶＰ３と、マゼンタサブ画素Ｍおよび黄サブ画素Ｙを含む第４仮想画素ＶＰ４のそれぞれによって表示される有彩色ｃｃ１９を示す図である。
【図６８】赤サブ画素Ｒおよび青サブ画素Ｂを含む第３仮想画素ＶＰ３と、緑サブ画素Ｇおよびマゼンタサブ画素Ｍを含む第４仮想画素ＶＰ４のそれぞれによって表示される有彩色ｃｃ２０を示す図である。
【図６９】赤サブ画素Ｒおよび青サブ画素Ｂを含む第３仮想画素ＶＰ３と、シアンサブ画素Ｃおよびマゼンタサブ画素Ｍを含む第４仮想画素ＶＰ４のそれぞれによって表示される有彩色ｃｃ２１を示す図である。
【図７０】緑サブ画素Ｇおよび青サブ画素Ｂを含む第３仮想画素ＶＰ３と、シアンサブ画素Ｃおよび黄サブ画素Ｙを含む第４仮想画素ＶＰ４のそれぞれによって表示される有彩色ｃｃ２２を示す図である。
【図７１】緑サブ画素Ｇおよびマゼンタサブ画素Ｍを含む第３仮想画素ＶＰ３と、シアンサブ画素Ｃおよび黄サブ画素Ｙを含む第４仮想画素ＶＰ４のそれぞれによって表示される有彩色ｃｃ２３を示す図である。
【図７２】緑サブ画素Ｇおよびマゼンタサブ画素Ｍを含む第３仮想画素ＶＰ３と、青サブ画素Ｂおよび黄サブ画素Ｙを含む第４仮想画素ＶＰ４のそれぞれによって表示される有彩色ｃｃ２４を示す図である。
【図７３】青サブ画素Ｂおよび黄サブ画素Ｙを含む第３仮想画素ＶＰ３と、シアンサブ画素Ｃおよびマゼンタサブ画素Ｍを含む第４仮想画素ＶＰ４のそれぞれによって表示される有彩色ｃｃ２５を示す図である。
【図７４】緑サブ画素Ｇおよび青サブ画素Ｂを含む第３仮想画素ＶＰ３と、シアンサブ画素Ｃおよびマゼンタサブ画素Ｍを含む第４仮想画素ＶＰ４のそれぞれによって表示される有彩色ｃｃ２６を示す図である。
【図７５】シアンサブ画素Ｃおよび黄サブ画素Ｙから構成される第３仮想画素ＶＰ３と、赤サブ画素Ｒ、緑サブ画素Ｇおよび青サブ画素Ｂから構成される第４仮想画素ＶＰ４のそれぞれによって表示される有彩色に対応する領域ｒｅ１を示す図である。
【図７６】赤サブ画素Ｒ、緑サブ画素Ｇおよびシアンサブ画素Ｃから構成される第３仮想画素ＶＰ３と、青サブ画素Ｂ、マゼンタサブ画素Ｍおよび黄サブ画素Ｙから構成される第４仮想画素ＶＰ４のそれぞれによって表示される有彩色に対応する領域ｒｅ２を示す図である。
【図７７】６つの原色を用いて表示を行う従来の表示装置８００を模式的に示す図である。
【図７８】特許文献２に開示されている多原色表示装置９００を模式的に示す図である。
【図７９】特許文献２の多原色表示装置９００が備える信号変換回路９２０を模式的に示すブロック図である。
【図８０】三原色表示装置において、１画素を構成する３つのサブ画素の組み合わせにより白色点が再現されることを説明するための図である。
【図８１】（ａ）および（ｂ）は、四原色表示装置において、白色点を再現することができるサブ画素の組み合わせが複数存在することを説明するための図である。
【図８２】四原色表示装置において、三原色表示装置よりも解像度の高い表示を行うことができる理由を説明するための図である。
【発明を実施するための形態】
【００５７】
「白と黒のペアを表現できる本数」を「解像度」と定義した場合、赤、緑および青の３つの原色を用いて表示を行う三原色表示装置では、図８０に示すように、１画素で白色点を再現するので、画素数がＮであれば、解像度はＮ／２となる。図８０は、色度図上にプロットされた３つの原色（赤サブ画素Ｒ、緑サブ画素Ｇおよび青サブ画素Ｂによって表示される赤、緑および青）を模式的に示す図であり、３つの原色を頂点とする三角形が色再現範囲を表しており、星印は白色点を表している。
【００５８】
これに対し、多原色表示装置では、１つの画素を構成する４つ以上のサブ画素のうちの一部（例えば３つのみ）から白色点を再現できる組み合わせが２つ以上存在する。図８１（ａ）および（ｂ）に、赤、緑、青および黄の４つの原色を用いて表示を行う多原色表示装置の例を示す。この多原色表示装置（四原色表示装置）では、図８１（ａ）に示すように、赤サブ画素Ｒ、緑サブ画素Ｇおよび青サブ画素Ｂの組み合わせによって白色点を再現することができるし、図８１（ｂ）に示すように、青サブ画素Ｂ、黄サブ画素Ｙおよび赤サブ画素Ｒの組み合わせによっても白色点を再現することができる。従って、前者の組み合わせで白を表現し、後者の組み合わせで黒を表現すること（あるいはその逆）により、１画素あたり、白と黒のペアを１つ表現することができる。そのため、上記の例では、画素数がＮならば、解像度もＮとなり、図８２に示すように、三原色表示装置に比べて解像度が２倍になる。
【００５９】
このように、多原色表示装置では、白色点を再現可能なサブ画素の組み合わせが２つ以上存在することによって、解像度を向上させることができる。ただし、ここでいう解像度は、「白と黒のペア」に限定された「輝度解像度」であり、色の表現は考慮されていない。「赤と黒のペア」、「緑と黒のペア」、「青と黒のペア」などを表現する際の「色解像度」については、多原色表示装置においても、三原色表示装置と同じである。これは、図８０〜図８２を参照しながら説明したような高精細表示は、多原色表示装置に特有の「色再現の冗長性」（ある色を再現するための原色の組み合わせが複数存在すること）を用いており、赤、緑、青といった原色の再現については、多原色表示装置であっても冗長性が存在しないためである。
【００６０】
これに対し、本発明の実施形態では、輝度解像度だけでなく、特定の有彩色（冗長性が存在する有彩色）についての色解像度を向上させることができる。
【００６１】
以下、図面を参照しながら本発明の実施形態を説明する。なお、以下では液晶表示装置を例示するが、本発明は液晶表示装置に限定されるものではなく、有機ＥＬ表示装置などの他の表示装置にも好適に用いられる。
【００６２】
図１に、本実施形態における液晶表示装置１００を示す。液晶表示装置１００は、図１に示すように、多原色表示パネル１０と、信号変換回路２０とを備え、４つ以上の原色を用いて表示を行う多原色表示装置である。
【００６３】
図１には示されていないが、多原色表示パネル１０は、複数の行および複数の列を含むマトリクス状に配置された複数の画素を有する。複数の画素のそれぞれは、互いに異なる色を表示する少なくとも４つのサブ画素を含む複数のサブ画素によって構成される。図２に、多原色表示パネル１０の具体的な画素構造（サブ画素配列）の例を示す。
【００６４】
図２に示す多原色表示パネル１０では、マトリクス状に配置された複数の画素Ｐのそれぞれは、６つのサブ画素ＳＰ１〜ＳＰ６によって構成される。各画素Ｐ内で、６つのサブ画素ＳＰ１〜ＳＰ６は、１行６列に配列されている。６つのサブ画素ＳＰ１〜ＳＰ６は、例えば、赤を表示する赤サブ画素Ｒ、緑を表示する緑サブ画素Ｇ、青を表示する青サブ画素Ｂ、シアンを表示するシアンサブ画素Ｃ、マゼンタを表示するマゼンタサブ画素Ｍおよび黄を表示する黄サブ画素Ｙである。
【００６５】
なお、多原色表示パネル１０の画素構造は、図２に示す例に限定されない。図３および図４に、多原色パネル１０の画素構造の他の例を示す。
【００６６】
図３に示す多原色表示パネル１０では、マトリクス状に配置された複数の画素Ｐのそれぞれは、５つのサブ画素ＳＰ１〜ＳＰ５によって構成される。各画素Ｐ内で、５つのサブ画素ＳＰ１〜ＳＰ５は、１行５列に配列されている。５つのサブ画素ＳＰ１〜ＳＰ５は、例えば、赤サブ画素Ｒ、緑サブ画素Ｇおよび青サブ画素Ｂと、シアンサブ画素Ｃ、マゼンタサブ画素Ｍおよび黄サブ画素Ｙのうちのいずれか２つとである。
【００６７】
図４に示す多原色表示パネル１０では、マトリクス状に配置された複数の画素Ｐのそれぞれは、４つのサブ画素ＳＰ１〜ＳＰ４によって構成される。各画素Ｐ内で、４つのサブ画素ＳＰ１〜ＳＰ４は、１行４列に配列されている。４つのサブ画素ＳＰ１〜ＳＰ４は、例えば、赤サブ画素Ｒ、緑サブ画素Ｇおよび青サブ画素Ｂと、シアンサブ画素Ｃ、マゼンタサブ画素Ｍおよび黄サブ画素Ｙのうちのいずれか１つとである。
【００６８】
なお、各画素Ｐを構成する複数のサブ画素は、必ずしも互いに異なる色を表示するサブ画素だけを含んでいる必要はない。例えば、シアンサブ画素Ｃ、マゼンタサブ画素Ｍおよび黄サブ画素Ｙｅのいずれかに代えて、赤を表示するさらなる赤画素Ｒを設けてもよい。１つの画素Ｐ内に赤画素Ｒを２つ（つまり第１および第２の赤画素Ｒを）設けると、明るい（明度の高い）赤を表示することができる。あるいは、シアンサブ画素Ｃ、マゼンタサブ画素Ｍおよび黄サブ画素Ｙのいずれかに代えて、白を表示する白画素Ｗを設けてもよい。白画素Ｗを設けると、画素Ｐ全体での表示輝度を向上させることができる。
【００６９】
また、図２〜図４には、複数のサブ画素が各画素Ｐ内で１行複数列に配列されている構成を例示したが、画素Ｐ内におけるサブ画素配列はこれに限定されるものではない。例えば、各画素Ｐ内で、複数のサブ画素が複数行１列に配列されていてもよいし、あるいは、複数行複数列に配列されていてもよい。ただし、ある方向について解像度の向上効果を得るためには、各画素Ｐ内でその方向に沿ってサブ画素が複数存在することが好ましい。従って、行方向について解像度の向上効果を得る観点からは、各画素Ｐ内で複数のサブ画素が２列以上に配列されていることが好ましく、列方向について解像度の向上効果を得る観点からは、各画素Ｐ内で複数のサブ画素が２行以上に配列されていることが好ましい。また、人間の目の分解能は、水平方向よりも垂直方向に対して低いので、少なくとも水平方向の解像度を向上させることが好ましく、さらに、典型的には、行方向が（つまり複数の画素Ｐによって構成される複数の行が）表示面の水平方向に略並行である。従って、一般的な用途では、各画素Ｐ内で複数のサブ画素が１行複数列に配列されていることが好ましいといえる。以下では、特にことわらない限り、画素行が表示面の水平方向に略並行であり、各画素Ｐ内で複数のサブ画素が１行複数列に配列されている場合を例として説明を行う。
【００７０】
信号変換回路２０は、図１に示すように、３原色（ＲＧＢ）に対応した入力画像信号（三原色画像信号）を、４つ以上の原色に対応した画像信号（「多原色画像信号」と称する。）に変換する。信号変換回路２０から出力された多原色画像信号が多原色表示パネル１０に入力され、４つ以上の原色を用いたカラー表示が行われる。信号変換回路２０の具体的な構成については後に詳述する。
【００７１】
本実施形態における液晶表示装置１００は、各画素Ｐを構成する複数のサブ画素を、第１仮想画素および第２仮想画素を含む複数の仮想画素に振り分け、これら複数の仮想画素のそれぞれにより無彩色を表示することができる。図５に、複数の仮想画素へのサブ画素の振り分けパターンの例を示す。
【００７２】
図５に示す振り分けパターンでは、各画素Ｐを構成する６つのサブ画素ＳＰ１〜ＳＰ６は、２つの仮想画素（第１仮想画素および第２仮想画素）ＶＰ１およびＶＰ２に振り分けられる。第１仮想画素ＶＰ１は、６つのサブ画素ＳＰ１〜ＳＰ６のうちの３つのサブ画素ＳＰ１、ＳＰ２およびＳＰ３によって構成される。また、第２仮想画素ＶＰ２は、残りの３つのサブ画素ＳＰ４、ＳＰ５およびＳＰ６によって構成される。
【００７３】
なお、無彩色を表示するための仮想画素の個数は、例示した２に限定されるものではない。例えば、各画素Ｐを構成する複数のサブ画素を、それぞれが無彩色を表示し得る３つの仮想画素に振り分けてもよい。
【００７４】
また、図５に例示した振り分けパターンでは、複数の仮想画素のそれぞれが、１つの画素Ｐ内で連続する２つ以上のサブ画素によって構成されているが、振り分けパターンはこれに限定されるものではない。
【００７５】
図６に、振り分けパターンの他の例を示す。図６中に示している第１仮想画素ＶＰ１は、左側の画素Ｐの１つのサブ画素ＳＰ６と、右側の画素Ｐの２つのサブ画素ＳＰ１およびＳＰ２とによって構成される。また、第２仮想画素ＶＰ２は、右側の画素Ｐの３つのサブ画素ＳＰ３、ＳＰ４およびＳＰ５によって構成される。
【００７６】
図６に示した例では、第１仮想画素ＶＰ１は、２つの画素Ｐにまたがって連続する複数の（ここでは３つの）サブ画素によって構成される。このように、一部の仮想画素が２つの画素Ｐにまたがっていてもよい。
【００７７】
なお、複数の仮想画素のそれぞれは、複数のサブ画素のうちの一部のサブ画素から構成される（つまり全部のサブ画素からは構成されない）ことが好ましい。また、複数の仮想画素のそれぞれは、典型的には、複数のサブ画素のうちの２つ以上のサブ画素から構成される（つまり１つのサブ画素のみからは構成されない）。
【００７８】
また、複数の仮想画素のそれぞれが２つ以上のサブ画素から構成されている場合、各仮想画素を構成する２つ以上のサブ画素は、他の仮想画素と共通のサブ画素を含んでいてもよい。図７に、このような振り分けパターンの例を示す。
【００７９】
図７に示す振り分けパターンでは、第１仮想画素ＶＰ１は、４つのサブ画素ＳＰ１、ＳＰ２、ＳＰ３およびＳＰ４によって構成される。また、第２仮想画素ＶＰ２は、３つのサブ画素ＳＰ４、ＳＰ５およびＳＰ６によって構成される。
【００８０】
図７に示した例では、２つの仮想画素ＶＰ１およびＶＰ２は、共通のサブ画素ＳＰ４を含んでおり、そのサブ画素ＳＰ４を共用する。このように、各仮想画素を構成する２つ以上のサブ画素が、他の仮想画素と共通のサブ画素を含んでいてもよい。
【００８１】
上述したように、液晶表示装置１００は、各画素Ｐを構成する複数のサブ画素を、第１仮想画素ＶＰ１および第２仮想画素ＶＰ２を含む複数の仮想画素に振り分け、これら複数の仮想画素のそれぞれにより無彩色を表示することができる。
【００８２】
本実施形態における液晶表示装置１００は、さらに、各画素Ｐを構成する複数のサブ画素を、第３仮想画素および第４仮想画素に振り分け、これら第３仮想画素および第４仮想画素のそれぞれによりある有彩色を表示することができる。ここで、第３仮想画素および第４仮想画素のそれぞれは、複数のサブ画素のうちの２つ以上のサブ画素によって構成されている。また、第３仮想画素および第４仮想画素のそれぞれによって表示される有彩色は、色度図上で、第３仮想画素を構成する２つ以上のサブ画素のうちのある２つのサブ画素によって表示される２つの色同士を結ぶ直線（第１の直線）と、第４仮想画素を構成する２つ以上のサブ画素のうちのある２つのサブ画素によって表示される２つの色同士を結ぶ直線（第２の直線）との交点に対応する色である。
【００８３】
図８に、有彩色を表示するための仮想画素（第３仮想画素および第４仮想画素）へのサブ画素の振り分けパターンの例を示す。図８に示す例では、第３仮想画素ＶＰ３は、６つのサブ画素ＳＰ１〜ＳＰ６のうちの２つのサブ画素ＳＰ１およびＳＰ２によって構成される。また、第４仮想画素ＶＰ４は、残りの４つのサブ画素ＳＰ３、ＳＰ４、ＳＰ５およびＳＰ６のうちの２つのサブ画素ＳＰ４およびＳＰ５によって構成される。
【００８４】
図９に、色度図上にプロットされた、６つのサブ画素ＳＰ１〜ＳＰ６によって表示される原色を模式的に示す。また、図９には、第３仮想画素ＶＰ３および第４仮想画素ＶＰ４のそれぞれによって表示される有彩色が星印で示されている。
【００８５】
図９に示すように、第３仮想画素ＶＰ３および第４仮想画素ＶＰ４のそれぞれによって表示される有彩色は、第３仮想画素ＶＰ３を構成する２つのサブ画素ＳＰ１およびＳＰ２によって表示される２つの色同士を結ぶ第１の直線Ｌ１と、第４仮想画素ＶＰ４を構成する２つのサブ画素ＳＰ４およびＳＰ５によって表示される２つの色同士を結ぶ第２の直線Ｌ２との交点に対応する色である。第１の直線Ｌ１は、サブ画素ＳＰ１によって表示される原色と、サブ画素ＳＰ２によって表示される原色との混色によって表示され得る色の集合を表している。また、第２の直線Ｌ２は、サブ画素ＳＰ４によって表示される原色と、サブ画素ＳＰ５によって表示される原色との混色によって表示され得る色の集合を表している。従って、第１の直線Ｌ１と第２の直線Ｌ２との交点に対応する有彩色は、第３仮想画素ＶＰ３によって表示され得る色でもあるし、第４仮想画素ＶＰ４によって表示され得る色でもある。
【００８６】
このように、本実施形態における液晶表示装置１００は、第１仮想画素ＶＰ１および第２仮想画素ＶＰ２を含む複数の仮想画素のそれぞれにより無彩色を表示することができるだけでなく、第３仮想画素ＶＰ３および第４仮想画素ＶＰ４のそれぞれによって特定の有彩色を表示することもできる。そのため、液晶表示装置１００は、輝度解像度だけでなく、特定の有彩色についての色解像度も向上させることができる。
【００８７】
なお、第３仮想画素ＶＰ３によって表示される有彩色と、第４仮想画素ＶＰ４によって表示される有彩色とは、色度図上で厳密に同じ点に位置する必要はなく、第１の直線Ｌ１と第２の直線Ｌ２との交点に厳密に位置する必要はない。第３仮想画素ＶＰ３によって表示される有彩色と、第４仮想画素ＶＰ４によって表示される有彩色との輝度差ΔYSおよび色度差Δu'v'が十分に小さければ、観察者はこれらを実質的に同じ色として視認し得るからである。具体的には、第３仮想画素ＶＰ３によって表示される有彩色と、第４仮想画素ＶＰ４によって表示される有彩色との輝度差ΔYSおよび色度差Δu'v'は、それぞれ３％以下および０．０２以下であることが好ましい。
【００８８】
ここで、３％以下の輝度差ΔYSおよび０．０２以下の色度差Δu'v'が好ましい理由をより詳細に説明する。
【００８９】
第３仮想画素ＶＰ３によって表示される有彩色と、第４仮想画素ＶＰ４によって表示される有彩色とは、理想的には、色度図上で上述した第１の直線Ｌ１と第２の直線Ｌ２との交点に位置する色であることが好ましい。しかしながら、実際には、ビット精度の制約やパネル面内のばらつきにより、交点の色をそれぞれの仮想画素によって完全に再現することは困難である。そのため、交点の色からある程度の輝度差および色度差を許容することになる。
【００９０】
さらに、解像度を高くするためには、それぞれの仮想画素が表現できる輝度がなるべく高いことが望ましい。輝度が高いほど、仮想画素を点灯させた時と点灯させない時（黒）の輝度差（コントラスト）が大きくなり、人間の目に知覚されやすくなるからである。そのため、第３仮想画素ＶＰ３および第４仮想画素ＶＰ４間の輝度差が大きくならない程度に、できる限りサブ画素を点灯させて輝度を稼ぐことが好ましいが、行き過ぎると仮想画素の彩度が低下し、色解像度の向上という本来の目的から遠ざかることになる。従って、交点の色からある色度差内で輝度を最大にすることが好ましい。
【００９１】
以上のことを勘案して本願発明者が詳細な検討を行ったところ、色解像度の向上と、その実現に有効な、仮想画素の輝度向上（コントラスト比の向上）を達成するためには、第３仮想画素ＶＰ３および第４仮想画素ＶＰ４間の輝度差ΔYSを３％以下、色度差Δu'v'を０．０２以下にすることが好ましいことがわかった。
【００９２】
特定の有彩色を表示するための仮想画素（第３仮想画素ＶＰ３および第４仮想画素ＶＰ４のそれぞれ）を構成する２つ以上のサブ画素は、１つの画素Ｐ内で、または、２つの画素Ｐにまたがって、連続するように配置されていることが好ましい。また、無彩色を表示するための仮想画素（第１仮想画素ＶＰ１および第２仮想画素ＶＰ２を含む複数の仮想画素のそれぞれ）が２つ以上のサブ画素から構成されている場合も、これらのサブ画素は、１つの画素Ｐ内で、または、２つの画素Ｐにまたがって、連続するように配置されていることが好ましい。ただし、後述するように、無彩色および特定の有彩色を表示するためのすべての仮想画素について上記のサブ画素配置（連続配置）を採用することが難しい場合がある。
【００９３】
（信号変換回路の具体例）
次に、信号変換回路２０の具体的な構成を説明する。図１０に、信号変換回路２０の具体的な構成の例を示す。信号変換回路２０は、画素数Ｍの入力信号を、できる限り解像度を低下させることなく、画素数Ｍ／２の信号に変換（ダウンスケーリング）して出力することができる。例えば、信号変換回路２０は、水平３８４０画素の入力信号を、水平１９２０画素の信号に変換して出力することができる。
【００９４】
信号変換回路２０は、図１０に示すように、信号分離部２１、ハイパスフィルタ（ＨＰＦ）２２、サブ画素レンダリング・ダウンスケーリング部２３、ローパスフィルタ（ＬＰＦ）２４、多原色化処理部２５、ダウンスケーリング部２６および信号結合部２７を有する。信号変換回路２０は、さらに、γ補正部２８および逆γ補正部２９を有する。
【００９５】
信号変換回路２０への入力信号は、まず、γ補正部２８によってγ補正処理を施される。γ補正処理を施された信号は、次に、信号分離部２１に入力される。
【００９６】
信号分離部２１は、入力された信号を、色再現の冗長性がある信号と、色再現の冗長性がない信号（図１０中では信号１、２、・・・Ｎとして示している）とに分離する。色再現の冗長性がある信号は、輝度信号（つまり無彩色に対応する信号）や、２つ（あるいは３つ以上）の仮想画素によって同時に表示し得る有彩色に対応する信号である。一方、色再現のない信号は、２つの仮想画素によって同時には表示し得ない有彩色（例えば赤、緑、青のような原色）に対応する信号である。信号分離部２１における信号分離の手法に、特に制限はない。例えば、入力信号で規定される赤、緑、青の輝度レベルをＲ、Ｇ、Ｂとすると、輝度信号Ｉは、Ｉ＝０．２１２６Ｒ＋０．７１５２Ｇ＋０．０７２２Ｂと表わされ、黄色信号Ｙは、図１１に示すようにＹ＝Ｍａｘ（Ｍｉｎ（Ｒ，Ｇ）−Ｂ，０）と表わされるので、これらのことを利用して信号分離を行うことができる。
【００９７】
色再現の冗長性がある信号は、ＨＰＦ２２に入力される。ＨＰＦ２２は、入力された信号から高域成分（相対的に空間周波数が高い成分）を抽出する（つまり高域成分抽出部として機能する）。ＨＰＦ２２によって抽出された高域成分は、サブ画素レンダリング・ダウンスケーリング部（以下では単に「サブ画素レンダリング部」と呼ぶ）２３に入力される。
【００９８】
サブ画素レンダリング部２３は、仮想画素へのレンダリング処理を行う。これにより、入力された信号は、解像度を保ったままダウンスケーリングされる。
【００９９】
色再現の冗長性がない信号は、ＬＰＦ２４に入力される。ＬＰＦ２４は、入力された信号から低域成分（相対的に空間周波数が低い成分）を抽出する（つまり低域成分抽出部として機能する）。ＬＰＦ２４によって抽出された低域成分は、多原色化処理部２５に入力される。
【０１００】
多原色化処理部２５は、入力された信号を多原色化（４つ以上の原色に対応するように変換）する。多原色化処理部２５における多原色化の手法としては、公知の種々の手法を用いることができる。例えば、国際公開第２００８／０６５９３５号や国際公開第２００７／０９７０８０号に開示されている手法を用いることができる。多原色化された信号は、ダウンスケーリング部２６に入力される。
【０１０１】
ダウンスケーリング部２６は、入力された信号に対し、一般的なダウンスケーリング（例えばフィルタリング・ダウンサンプリング）を行う。
【０１０２】
サブ画素レンダリング２３およびダウンスケーリング部２６のそれぞれによってダウンスケーリングされた信号は、信号結合部２７に入力され、結合される。信号の結合は、例えば、単純な加算により実現される。あるいは、重み付き線形和などによって信号の結合を実現してもよい。結合された信号は、レンダリング処理によって生成された画像信号は、逆γ補正部２９によって逆γ補正を施され、多原色画像信号として出力される。
【０１０３】
なお、γ補正部２８および逆γ補正部２９は省略されてもよい。また、図１０に例示した構成では、ＬＰＦ２４の後段に多原色化処理部２５が配置されているが、信号分離部２１（あるいはγ補正部２８）の前段に多原色化処理部２５が配置されてもよい。
【０１０４】
また、第３仮想画素ＶＰ３および第４仮想画素ＶＰ４によって表示される有彩色は、色相および彩度が固定されているので、豊かな色再現には不向きであるといえる。そのため、図１０に例示している構成のように、ＨＰＦ２２およびＬＰＦ２４を用い、高周波数成分を有する色信号が含まれる領域では解像度を保つために色再現の冗長性を用い、高周波数成分が少ない色信号が含まれる領域では豊かな色再現を行うために色再現の冗長性を用いないことが好ましいといえる。
【０１０５】
以下、実施形態１〜４として、画素Ｐを構成する複数のサブ画素の具体例および色解像度が向上する有彩色の具体例を説明する。
【０１０６】
（実施形態１：４原色４サブ画素）
本実施形態では、図１２に示すように、各画素Ｐは、赤サブ画素Ｒ、緑サブ画素Ｇ、青サブ画素Ｂおよび黄サブ画素Ｙの４つのサブ画素から構成されている。なお、画素Ｐ内におけるサブ画素の配置は、図１２に例示したものに限定されない。
【０１０７】
図１３に示すように、例えば、第１仮想画素ＶＰ１は、赤サブ画素Ｒ、緑サブ画素Ｇおよび青サブ画素Ｂから構成されており、第２仮想画素ＶＰ２は、青サブ画素Ｂ、黄サブ画素Ｙおよび赤サブ画素Ｒから構成されている。第１仮想画素ＶＰ１および第２仮想画素ＶＰ２のそれぞれにより、無彩色が表示される。
【０１０８】
図１４に示すように、第３仮想画素ＶＰ３は、赤サブ画素Ｒおよび緑サブ画素Ｇから構成されている。また、第４仮想画素ＶＰ４は、青サブ画素Ｂおよび黄サブ画素Ｙから構成されている。第３仮想画素ＶＰ３および第４仮想画素ＶＰ４のそれぞれによって、図１５に示すような、ある有彩色ｃｃ１が表示される。この有彩色ｃｃ１は、色度図上で、赤サブ画素Ｒおよび緑サブ画素Ｇによって表示される赤および緑を結ぶ第１の直線Ｌ１と、青サブ画素Ｂおよび黄サブ画素Ｙによって表示される青および黄を結ぶ第２の直線Ｌ２との交点に対応する色である。
【０１０９】
ここでは、有彩色ｃｃ１の色度は、黄サブ画素Ｙによって表示される黄の色度と近く、有彩色ｃｃ１は黄であるといえる。そのため、本実施形態では、輝度解像度だけでなく、黄（有彩色ｃｃ１）についての色解像度を向上させることができる。
【０１１０】
各仮想画素を構成する２つ以上のサブ画素は、連続するように配置されることが好ましい。つまり、第１仮想画素ＶＰ１を構成する赤サブ画素Ｒ、緑サブ画素Ｇおよび青サブ画素Ｂは、連続するように配置されることが好ましく、第２仮想画素ＶＰ２を構成する青サブ画素Ｂ、黄サブ画素Ｙおよび赤サブ画素Ｒは、連続するように配置されている好ましい。また、第３仮想画素ＶＰ３を構成する赤サブ画素Ｒおよび緑サブ画素Ｇは、連続するように配置されていることが好ましく、第４仮想画素ＶＰ４を構成する青サブ画素Ｂおよび黄サブ画素Ｙは、連続するように配置されていることが好ましい。
【０１１１】
図１２に示したように、赤サブ画素Ｒ、緑サブ画素Ｇ、青サブ画素Ｂおよび黄サブ画素Ｙが行方向に沿ってこの順に配置されていることにより、すべての仮想画素について、上記の好ましい配置（連続配置）を実現することができる。なお、画素Ｐを構成する複数のサブ画素が複数行１列に配置されている場合には、赤サブ画素Ｒ、緑サブ画素Ｇ、青サブ画素Ｂおよび黄サブ画素Ｙが列方向に沿ってこの順に配置されていることにより、同様の効果が得られる。
【０１１２】
（実施形態２：５原色５サブ画素）
本実施形態では、図１６に示すように、各画素Ｐは、赤サブ画素Ｒ、緑サブ画素Ｇ、青サブ画素Ｂ、シアンサブ画素Ｃおよび黄サブ画素Ｙの５つのサブ画素から構成されている。なお、画素Ｐ内におけるサブ画素の配置は、図１６に例示したものに限定されない。
【０１１３】
図１７に示すように、例えば、第１仮想画素ＶＰ１は、赤サブ画素Ｒ、シアンサブ画素Ｃ、緑サブ画素Ｇおよび青サブ画素Ｂから構成されており、第２仮想画素ＶＰ２は、青サブ画素Ｂ、黄サブ画素Ｙおよび赤サブ画素Ｒから構成されている。第１仮想画素ＶＰ１および第２仮想画素ＶＰ２のそれぞれにより、無彩色が表示される。
【０１１４】
図１８（ａ）〜（ｄ）に示すように、第３仮想画素ＶＰ３は、赤サブ画素Ｒおよび緑サブ画素Ｇから構成されている。また、第４仮想画素ＶＰ４は、青サブ画素Ｂおよび黄サブ画素Ｙから構成されている。第３仮想画素ＶＰ３および第４仮想画素ＶＰ４のそれぞれによって、図１９に示すような、ある有彩色ｃｃ２が表示される。この有彩色ｃｃ２は、色度図上で、赤サブ画素Ｒおよび緑サブ画素Ｇによって表示される赤および緑を結ぶ第１の直線Ｌ１と、青サブ画素Ｂおよび黄サブ画素Ｙによって表示される青および黄を結ぶ第２の直線Ｌ２との交点に対応する色である。
【０１１５】
ここでは、有彩色ｃｃ２の色度は、黄サブ画素Ｙによって表示される黄の色度と近く、有彩色ｃｃ２は黄であるといえる。そのため、本実施形態では、輝度解像度だけでなく、黄（有彩色ｃｃ２）についての色解像度を向上させることができる。
【０１１６】
なお、図１８（ａ）〜（ｄ）には、第３仮想画素ＶＰ３および第４仮想画素ＶＰ４のそれぞれが、有彩色ｃｃ２の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ２の表示に必ずしも必要でないサブ画素）を含んでいてもよい。
【０１１７】
例えば、図２０（ａ）および（ｂ）に示すように、第３仮想画素ＶＰ３を構成するサブ画素が、赤サブ画素Ｒおよび緑サブ画素Ｇに加えてシアンサブ画素Ｃを含んでいてもよい。あるいは、図２０（ｃ）および（ｄ）に示すように、第４仮想画素ＶＰ４を構成するサブ画素が、青サブ画素Ｂおよび黄サブ画素Ｙに加えてシアンサブ画素Ｃを含んでいてもよい。図２０（ａ）〜（ｄ）に示した第３仮想画素ＶＰ３および第４仮想画素ＶＰ４のそれぞれによっても、有彩色ｃｃ２を表示することができる。
【０１１８】
また、本実施形態では、有彩色ｃｃ２以外の有彩色についても、色解像度の向上を図ることができる。
【０１１９】
図２１（ａ）〜（ｄ）に示す例では、第３仮想画素ＶＰ３は、緑サブ画素Ｇおよび青サブ画素Ｂから構成されており、第４仮想画素ＶＰ４は、シアンサブ画素Ｃおよび黄サブ画素Ｙから構成されている。第３仮想画素ＶＰ３および第４仮想画素ＶＰ４のそれぞれによって、図２２に示すような、ある有彩色ｃｃ３が表示される。この有彩色ｃｃ３は、色度図上で、緑サブ画素Ｇおよび青サブ画素Ｂによって表示される緑および青を結ぶ第１の直線Ｌ１と、シアンサブ画素Ｃおよび黄サブ画素Ｙによって表示されるシアンおよび黄を結ぶ第２の直線Ｌ２との交点に対応する色である。
【０１２０】
図２１（ａ）〜（ｄ）に示した第３仮想画素ＶＰ３および第４仮想画素ＶＰ４を用いた表示により、有彩色ｃｃ３についての色解像度を向上させることができる。
【０１２１】
なお、図２１（ａ）〜（ｄ）には、第３仮想画素ＶＰ３および第４仮想画素ＶＰ４のそれぞれが、有彩色ｃｃ３の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ３の表示に必ずしも必要でないサブ画素）を含んでいてもよい。
【０１２２】
例えば、図２３（ａ）および（ｂ）に示すように、第３仮想画素ＶＰ３を構成するサブ画素が、緑サブ画素Ｇおよび青サブ画素Ｂに加えて赤サブ画素Ｒを含んでいてもよい。ああるいは、図２３（ｃ）および（ｄ）に示すように、第４仮想画素ＶＰ４を構成するサブ画素が、シアンサブ画素Ｃおよび黄サブ画素Ｙに加えて赤サブ画素Ｒを含んでいてもよい。図２３（ａ）〜（ｄ）に示した第３仮想画素ＶＰ３および第４仮想画素ＶＰ４のそれぞれによっても、有彩色ｃｃ３を表示することができる。なお、図２３（ａ）〜（ｄ）のそれぞれには、左右方向（行方向）に隣接する２つの画素Ｐに対応するサブ画素が示されており、一部の仮想画素（具体的には、図２３（ａ）および（ｂ）における第３仮想画素ＶＰ３、図２３（ｃ）および（ｄ）における第４仮想画素ＶＰ４）は、２つの画素Ｐをまたいで連続する３つのサブ画素から構成されていることに注意されたい。
【０１２３】
図２４（ａ）〜（ｄ）に示す例では、第３仮想画素ＶＰ３は、赤サブ画素Ｒおよびシアンサブ画素Ｃから構成されており、第４仮想画素ＶＰ４は、緑サブ画素Ｇおよび青サブ画素Ｂから構成されている。第３仮想画素ＶＰ３および第４仮想画素ＶＰ４のそれぞれによって、図２５に示すような、ある有彩色ｃｃ４が表示される。この有彩色ｃｃ４は、色度図上で、赤サブ画素Ｒおよびシアンサブ画素Ｃによって表示される赤およびシアンを結ぶ第１の直線Ｌ１と、緑サブ画素Ｇおよび青サブ画素Ｂによって表示される緑および青を結ぶ第２の直線Ｌ２との交点に対応する色である。
【０１２４】
ここでは、有彩色ｃｃ４の色度は、シアンサブ画素Ｃによって表示されるシアンの色度と近く、有彩色ｃｃ４はシアンであるといえる。そのため、図２４（ａ）〜（ｄ）に示した第３仮想画素ＶＰ３および第４仮想画素ＶＰ４を用いた表示により、シアン（有彩色ｃｃ４）についての色解像度を向上させることができる。
【０１２５】
なお、図２４（ａ）〜（ｄ）には、第３仮想画素ＶＰ３および第４仮想画素ＶＰ４のそれぞれが、有彩色ｃｃ４の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ４の表示に必ずしも必要でないサブ画素）を含んでいてもよい。
【０１２６】
例えば、図２６（ａ）および（ｂ）に示すように、第３仮想画素ＶＰ３を構成するサブ画素が、赤サブ画素Ｒおよびシアンサブ画素Ｃに加えて黄サブ画素Ｙを含んでいてもよい。あるいは、図２６（ｃ）および（ｄ）に示すように、第４仮想画素ＶＰ４を構成するサブ画素が、緑サブ画素Ｇおよび青サブ画素Ｂに加えて黄サブ画素Ｙを含んでいてもよい。図２６（ａ）〜（ｄ）に示した第３仮想画素ＶＰ３および第４仮想画素ＶＰ４のそれぞれによっても、有彩色ｃｃ４を表示することができる。
【０１２７】
図２７（ａ）〜（ｄ）に示す例では、第３仮想画素ＶＰ３は、赤サブ画素Ｒおよびシアンサブ画素Ｃから構成されており、第４仮想画素ＶＰ４は、青サブ画素Ｂおよび黄サブ画素Ｙから構成されている。第３仮想画素ＶＰ３および第４仮想画素ＶＰ４のそれぞれによって、図２８に示すような、ある有彩色ｃｃ５が表示される。この有彩色ｃｃ５は、色度図上で、赤サブ画素Ｒおよびシアンサブ画素Ｃによって表示される赤およびシアンを結ぶ第１の直線Ｌ１と、青サブ画素Ｂおよび黄サブ画素Ｙによって表示される青および黄を結ぶ第２の直線Ｌ２との交点に対応する色である。
【０１２８】
図２７（ａ）〜（ｄ）に示した第３仮想画素ＶＰ３および第４仮想画素ＶＰ４を用いた表示により、有彩色ｃｃ５についての色解像度を向上させることができる。
【０１２９】
なお、図２７（ａ）〜（ｄ）には、第３仮想画素ＶＰ３および第４仮想画素ＶＰ４のそれぞれが、有彩色ｃｃ５の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ５の表示に必ずしも必要でないサブ画素）を含んでいてもよい。
【０１３０】
例えば、図２９（ａ）および（ｂ）に示すように、第３仮想画素ＶＰ３を構成するサブ画素が、赤サブ画素Ｒおよびシアンサブ画素Ｃに加えて緑サブ画素Ｇを含んでいてもよい。あるいは、図２９（ｃ）および（ｄ）に示すように、第４仮想画素ＶＰ４を構成するサブ画素が、青サブ画素Ｂおよび黄サブ画素Ｙに加えて緑サブ画素Ｇを含んでいてもよい。図２９（ａ）〜（ｄ）に示した第３仮想画素ＶＰ３および第４仮想画素ＶＰ４のそれぞれによっても、有彩色ｃｃ５を表示することができる。
【０１３１】
図３０（ａ）〜（ｄ）に示す例では、第３仮想画素ＶＰ３は、赤サブ画素Ｒおよび緑サブ画素Ｇから構成されており、第４仮想画素ＶＰ４は、シアンサブ画素Ｃおよび黄サブ画素Ｙから構成されている。第３仮想画素ＶＰ３および第４仮想画素ＶＰ４のそれぞれによって、図３１に示すような、ある有彩色ｃｃ６が表示される。この有彩色ｃｃ６は、色度図上で、赤サブ画素Ｒおよび緑サブ画素Ｇによって表示される赤および緑を結ぶ第１の直線Ｌ１と、シアンサブ画素Ｃおよび黄サブ画素Ｙによって表示されるシアンおよび黄を結ぶ第２の直線Ｌ２との交点に対応する色である。
【０１３２】
図３０（ａ）〜（ｄ）に示した第３仮想画素ＶＰ３および第４仮想画素ＶＰ４を用いた表示により、有彩色ｃｃ６についての色解像度を向上させることができる。
【０１３３】
なお、図３０（ａ）〜（ｄ）には、第３仮想画素ＶＰ３および第４仮想画素ＶＰ４のそれぞれが、有彩色ｃｃ６の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ６の表示に必ずしも必要でないサブ画素）を含んでいてもよい。
【０１３４】
例えば、図３２（ａ）および（ｂ）に示すように、第３仮想画素ＶＰ３を構成するサブ画素が、赤サブ画素Ｒおよび緑サブ画素Ｇに加えて青サブ画素Ｂを含んでいてもよい。あるいは、図３２（ｃ）および（ｄ）に示すように、第４仮想画素ＶＰ４を構成するサブ画素が、シアンサブ画素Ｃおよび黄サブ画素Ｙに加えて青サブ画素Ｂを含んでいてもよい。図３２（ａ）〜（ｄ）に示した第３仮想画素ＶＰ３および第４仮想画素ＶＰ４のそれぞれによっても、有彩色ｃｃ６を表示することができる。
【０１３５】
上述したように、本実施形態では、輝度解像度だけでなく、有彩色ｃｃ２〜ｃｃ６のうちの少なくとも１つについての色解像度を向上させることができる。
【０１３６】
無彩色および有彩色ｃｃ２〜６を表示するための各仮想画素を構成する２つ以上のサブ画素は、図１７および図１８などに示したように、連続するように配置されることが好ましい。ただし、無彩色および有彩色ｃｃ２〜ｃｃ６のすべてについて上記の好ましい配置（連続配置）を実現することはできないので、優先度の高い色について連続配置が実現されるようなサブ画素配置を選択すればよい。
【０１３７】
（実施形態３：５原色６サブ画素）
本実施形態では、図３３に示すように、各画素Ｐは、第１および第２の赤サブ画素Ｒ、緑サブ画素Ｇ、青サブ画素Ｂ、シアンサブ画素Ｃおよび黄サブ画素Ｙの６つのサブ画素から構成されている。つまり、本実施形態では、各画素Ｐを構成する複数のサブ画素は、互いに同じ色を表示する２つのサブ画素を含んでいる。以下では、特にことわらない限り、画素Ｐ内で相対的に左側に位置する赤サブ画素Ｒを「第１の赤サブ画素」と呼び、相対的に右側に位置する赤サブ画素Ｒを「第２の赤サブ画素」と呼ぶ。なお、画素Ｐ内におけるサブ画素の配置は、図３３に例示したものに限定されない。
【０１３８】
図３４に示すように、例えば、第１仮想画素ＶＰ１は、青サブ画素Ｂ、第１の赤サブ画素Ｒ、緑サブ画素Ｇおよびシアンサブ画素Ｃから構成されており、第２仮想画素ＶＰ２は、シアンサブ画素Ｃ、第２の赤サブ画素Ｒ、黄サブ画素Ｙおよび青サブ画素Ｂから構成されている。第１仮想画素ＶＰ１および第２仮想画素ＶＰ２のそれぞれにより、無彩色が表示される。
【０１３９】
図３５（ａ）および（ｂ）に示すように、第３仮想画素ＶＰ３は、第１の赤サブ画素Ｒおよび緑サブ画素Ｇから構成されている。また、第４仮想画素ＶＰ４は、青サブ画素Ｂおよび黄サブ画素Ｙから構成されている。第３仮想画素ＶＰ３および第４仮想画素ＶＰ４のそれぞれによって、図３６に示すような、ある有彩色ｃｃ７が表示される。この有彩色ｃｃ７は、色度図上で、第１の赤サブ画素Ｒおよび緑サブ画素Ｇによって表示される赤および緑を結ぶ第１の直線Ｌ１と、青サブ画素Ｂおよび黄サブ画素Ｙによって表示される青および黄を結ぶ第２の直線Ｌ２との交点に対応する色である。
【０１４０】
ここでは、有彩色ｃｃ７の色度は、黄サブ画素Ｙによって表示される黄の色度と近く、有彩色ｃｃ７は黄であるといえる。そのため、本実施形態では、輝度解像度だけでなく、黄（有彩色ｃｃ７）についての色解像度を向上させることができる。
【０１４１】
なお、図３５（ａ）および（ｂ）には、第３仮想画素ＶＰ３および第４仮想画素ＶＰ４のそれぞれが、有彩色ｃｃ７の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ７の表示に必ずしも必要でないサブ画素）を含んでいてもよい。
【０１４２】
例えば、図３７（ａ）および（ｂ）に示すように、第３仮想画素ＶＰ３を構成するサブ画素が、第１の赤サブ画素Ｒおよび緑サブ画素Ｇに加えてシアンサブ画素Ｃを含んでいてもよい。あるいは、図３７（ｃ）および（ｄ）に示すように、第４仮想画素ＶＰ４を構成するサブ画素が、青サブ画素Ｂおよび黄サブ画素Ｙに加えて第２の赤サブ画素Ｒを含んでいてもよい。図３７（ａ）〜（ｄ）に示した第３仮想画素ＶＰ３および第４仮想画素ＶＰ４のそれぞれによっても、有彩色ｃｃ７を表示することができる。
【０１４３】
また、本実施形態では、有彩色ｃｃ７以外の有彩色についても、色解像度の向上を図ることができる。
【０１４４】
図３８（ａ）および（ｂ）に示す例では、第３仮想画素ＶＰ３は、緑サブ画素Ｇおよび青サブ画素Ｂから構成されており、第４仮想画素ＶＰ４は、シアンサブ画素Ｃおよび黄サブ画素Ｙから構成されている。第３仮想画素ＶＰ３および第４仮想画素ＶＰ４のそれぞれによって、図３９に示すような、ある有彩色ｃｃ８が表示される。この有彩色ｃｃ８は、色度図上で、緑サブ画素Ｇおよび青サブ画素Ｂによって表示される緑および青を結ぶ第１の直線Ｌ１と、シアンサブ画素Ｃおよび黄サブ画素Ｙによって表示されるシアンおよび黄を結ぶ第２の直線Ｌ２との交点に対応する色である。
【０１４５】
図３８（ａ）および（ｂ）に示した第３仮想画素ＶＰ３および第４仮想画素ＶＰ４を用いた表示により、有彩色ｃｃ８についての色解像度を向上させることができる。
【０１４６】
なお、図３８（ａ）および（ｂ）には、第３仮想画素ＶＰ３および第４仮想画素ＶＰ４のそれぞれが、有彩色ｃｃ８の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ８の表示に必ずしも必要でないサブ画素）を含んでいてもよい。
【０１４７】
例えば、図４０（ａ）および（ｂ）に示すように、第３仮想画素ＶＰ３を構成するサブ画素が、緑サブ画素Ｇおよび青サブ画素Ｂに加えて第１の赤サブ画素Ｒを含んでおり、第４仮想画素ＶＰ４を構成するサブ画素が、シアンサブ画素Ｃおよび黄サブ画素Ｙに加えて第２の赤サブ画素Ｒを含んでいてもよい。図４０（ａ）および（ｂ）に示した第３仮想画素ＶＰ３および第４仮想画素ＶＰ４のそれぞれによっても、有彩色ｃｃ８を表示することができる。
【０１４８】
図４１（ａ）および（ｂ）に示す例では、第３仮想画素ＶＰ３は、第１の赤サブ画素Ｒおよびシアンサブ画素Ｃから構成されており、第４仮想画素ＶＰ４は、緑サブ画素Ｇおよび青サブ画素Ｂから構成されている。第３仮想画素ＶＰ３および第４仮想画素ＶＰ４のそれぞれによって、図４２に示すような、ある有彩色ｃｃ９が表示される。この有彩色ｃｃ９は、色度図上で、第１の赤サブ画素Ｒおよびシアンサブ画素Ｃによって表示される赤およびシアンを結ぶ第１の直線Ｌ１と、緑サブ画素Ｇおよび青サブ画素Ｂによって表示される緑および青を結ぶ第２の直線Ｌ２との交点に対応する色である。
【０１４９】
ここでは、有彩色ｃｃ９の色度は、シアンサブ画素Ｃによって表示されるシアンの色度と近く、有彩色ｃｃ９はシアンであるといえる。そのため、図４１（ａ）および（ｂ）に示した第３仮想画素ＶＰ３および第４仮想画素ＶＰ４を用いた表示により、シアン（有彩色ｃｃ９）についての色解像度を向上させることができる。
【０１５０】
なお、図４１（ａ）および（ｂ）には、第３仮想画素ＶＰ３および第４仮想画素ＶＰ４のそれぞれが、有彩色ｃｃ９の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ９の表示に必ずしも必要でないサブ画素）を含んでいてもよい。
【０１５１】
例えば、図４３（ａ）および（ｂ）に示すように、第４仮想画素ＶＰ４を構成するサブ画素が、緑サブ画素Ｇおよび青サブ画素Ｂに加えて第２の赤サブ画素Ｒを含んでいてもよい。図４３（ａ）および（ｂ）に示した第３仮想画素ＶＰ３および第４仮想画素ＶＰ４のそれぞれによっても、有彩色ｃｃ９を表示することができる。
【０１５２】
図４４（ａ）および（ｂ）に示す例では、第３仮想画素ＶＰ３は、第１の赤サブ画素Ｒおよびシアンサブ画素Ｃから構成されており、第４仮想画素ＶＰ４は、青サブ画素Ｂおよび黄サブ画素Ｙから構成されている。第３仮想画素ＶＰ３および第４仮想画素ＶＰ４のそれぞれによって、図４５に示すような、ある有彩色ｃｃ１０が表示される。この有彩色ｃｃ１０は、色度図上で、第１の赤サブ画素Ｒおよびシアンサブ画素Ｃによって表示される赤およびシアンを結ぶ第１の直線Ｌ１と、青サブ画素Ｂおよび黄サブ画素Ｙによって表示される青および黄を結ぶ第２の直線Ｌ２との交点に対応する色である。
【０１５３】
図４４（ａ）および（ｂ）に示した第３仮想画素ＶＰ３および第４仮想画素ＶＰ４を用いた表示により、有彩色ｃｃ１０についての色解像度を向上させることができる。
【０１５４】
なお、図４４（ａ）〜（ｄ）には、第３仮想画素ＶＰ３および第４仮想画素ＶＰ４のそれぞれが、有彩色ｃｃ１０の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ１０の表示に必ずしも必要でないサブ画素）を含んでいてもよい。
【０１５５】
例えば、図４６（ａ）および（ｂ）に示すように、第４仮想画素ＶＰ４を構成するサブ画素が、青サブ画素Ｂおよび黄サブ画素Ｙに加えて第２の赤サブ画素Ｒを含んでいてもよい。図４６（ａ）および（ｂ）に示した第３仮想画素ＶＰ３および第４仮想画素ＶＰ４のそれぞれによっても、有彩色ｃｃ１０を表示することができる。
【０１５６】
図４７（ａ）および（ｂ）に示す例では、第３仮想画素ＶＰ３は、第１の赤サブ画素Ｒおよび緑サブ画素Ｇから構成されており、第４仮想画素ＶＰ４は、シアンサブ画素Ｃおよび黄サブ画素Ｙから構成されている。第３仮想画素ＶＰ３および第４仮想画素ＶＰ４のそれぞれによって、図４８に示すような、ある有彩色ｃｃ１１が表示される。この有彩色ｃｃ１１は、色度図上で、第１の赤サブ画素Ｒおよび緑サブ画素Ｇによって表示される赤および緑を結ぶ第１の直線Ｌ１と、シアンサブ画素Ｃおよび黄サブ画素Ｙによって表示されるシアンおよび黄を結ぶ第２の直線Ｌ２との交点に対応する色である。
【０１５７】
図４７（ａ）および（ｂ）に示した第３仮想画素ＶＰ３および第４仮想画素ＶＰ４を用いた表示により、有彩色ｃｃ１１についての色解像度を向上させることができる。
【０１５８】
なお、図４７（ａ）および（ｂ）には、第３仮想画素ＶＰ３および第４仮想画素ＶＰ４のそれぞれが、有彩色ｃｃ１１の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ１１の表示に必ずしも必要でないサブ画素）を含んでいてもよい。
【０１５９】
例えば、図４９（ａ）および（ｂ）に示すように、第４仮想画素ＶＰ４を構成するサブ画素が、シアンサブ画素Ｃおよび黄サブ画素Ｙに加えて第２の赤サブ画素Ｒを含んでいてもよい。図４９（ａ）および（ｂ）に示した第３仮想画素ＶＰ３および第４仮想画素ＶＰ４のそれぞれによっても、有彩色ｃｃ１１を表示することができる。
【０１６０】
上述したように、本実施形態では、輝度解像度だけでなく、有彩色ｃｃ７〜ｃｃ１１のうちの少なくとも１つについての色解像度を向上させることができる。
【０１６１】
無彩色および有彩色ｃｃ７〜１１を表示するための各仮想画素を構成する２つ以上のサブ画素は、図３４および図３５などに示したように、連続するように配置されることが好ましい。ただし、無彩色および有彩色ｃｃ７〜ｃｃ１１のすべてについて上記の好ましい配置（連続配置）を実現することはできないので、優先度の高い色について連続配置が実現されるようなサブ画素配置を選択すればよい。
【０１６２】
また、本実施形態では、上記の有彩色ｃｃ７〜ｃｃ１１とは別の有彩色についての色解像度を向上させることもできる。
【０１６３】
既に説明したように、本実施形態における各画素Ｐを構成する複数のサブ画素は、互いに同じ色を表示する２つのサブ画素（具体的には第１および第２の赤サブ画素Ｒ）を含んでいる。そのため、図５０に示すように、これら２つのサブ画素の一方（第１の赤サブ画素Ｒ）のみから構成される第５仮想画素ＶＰ５および他方（第２の赤サブ画素Ｒ）のみから構成される第６仮想画素ＶＰ６のそれぞれにより、ある有彩色（ここでは赤）を表示することが可能である。
【０１６４】
なお、互いに同じ色を表示する２つのサブ画素（同色サブ画素）は、なるべく等間隔で配置されていることが好ましい。具体的には、各画素Ｐが２ｎ個のサブ画素（ｎは３以上の整数）から構成されている場合には、同色サブ画素間には、他のサブ画素（（２ｎ−２）個のサブ画素）のうちの（ｎ−１）個のサブ画素が位置していることが好ましい。また、各画素Ｐが（２ｎ−１）個のサブ画素（ｎは３以上の整数）から構成されている場合には、同色サブ画素間には、他のサブ画素（（２ｎ−３）個のサブ画素）のうちの（ｎ−１）個または（ｎ−２）個のサブ画素が位置していることが好ましい。例えば、各画素Ｐが６つのサブ画素から構成されている場合には、同色サブ画素間には、他の４つのサブ画素のうちの２つのサブ画素が位置していることが好ましい。また、各画素Ｐが５つのサブ画素から構成されている場合には、同色サブ画素間には、他の３つのサブ画素のうちの１つまたは２つのサブ画素が位置していることが好ましい。
【０１６５】
（実施形態４：６原色６サブ画素）
本実施形態では、図５１に示すように、各画素Ｐは、赤サブ画素Ｒ、緑サブ画素Ｇ、青サブ画素Ｂ、シアンサブ画素Ｃ、マゼンタサブ画素Ｍおよび黄サブ画素Ｙの６つのサブ画素から構成されている。なお、画素Ｐ内におけるサブ画素の配置は、図５１に例示したものに限定されない。
【０１６６】
図５２に示すように、例えば、第１仮想画素ＶＰ１は、シアンサブ画素Ｃ、マゼンタサブ画素Ｍ、黄サブ画素Ｙおよび青サブ画素Ｂから構成されており、第２仮想画素ＶＰ２は、青サブ画素Ｂ、赤サブ画素Ｒ、緑サブ画素Ｇおよびシアンサブ画素Ｃから構成されている。第１仮想画素ＶＰ１および第２仮想画素ＶＰ２のそれぞれにより、無彩色が表示される。
【０１６７】
図５３（ａ）〜（ｆ）および図５４（ａ）〜（ｆ）に示すように、第３仮想画素ＶＰ３は、赤サブ画素Ｒおよび緑サブ画素Ｇから構成されている。また、第４仮想画素ＶＰ４は、シアンサブ画素Ｃおよび黄サブ画素Ｙから構成されている。第３仮想画素ＶＰ３および第４仮想画素ＶＰ４のそれぞれによって、図５５に示すような、ある有彩色ｃｃ１２が表示される。この有彩色はｃｃ１２、色度図上で、赤サブ画素Ｒおよび緑サブ画素Ｇによって表示される赤および緑を結ぶ第１の直線Ｌ１と、シアンサブ画素Ｃおよび黄サブ画素Ｙによって表示されるシアンおよび黄を結ぶ第２の直線Ｌ２との交点に対応する色である。
【０１６８】
図５３（ａ）〜（ｆ）および図５４（ａ）〜（ｆ）に示した第３仮想画素ＶＰ３および第４仮想画素ＶＰ４を用いた表示により、有彩色ｃｃ１２についての色解像度を向上させることができる。
【０１６９】
なお、図５３（ａ）〜（ｆ）および図５４（ａ）〜（ｆ）には、第３仮想画素ＶＰ３および第４仮想画素ＶＰ４のそれぞれが、有彩色ｃｃ１２の表示に必要なサブ画素のみから構成されている例が示されているが、第３仮想画素ＶＰ３および第４仮想画素ＶＰ４のそれぞれを構成する２つ以上のサブ画素は、他のサブ画素（有彩色ｃｃ１２の表示に必ずしも必要でないサブ画素）を含んでいてもよい。
【０１７０】
例えば、図５６（ａ）〜（ｄ）に示すように、第３仮想画素ＶＰ３を構成するサブ画素が、赤サブ画素Ｒおよび緑サブ画素Ｇに加えて青サブ画素Ｂを含んでいてもよいし、図５７（ａ）〜（ｄ）に示すように、第３仮想画素ＶＰ３を構成するサブ画素が、赤サブ画素Ｒおよび緑サブ画素Ｇに加えてマゼンタサブ画素Ｍを含んでいてもよい。
【０１７１】
また、図５８（ａ）〜（ｄ）に示すように、第４仮想画素ＶＰ４を構成するサブ画素が、シアンサブ画素Ｃおよび黄サブ画素Ｙに加えて青サブ画素Ｂを含んでいてもよいし、図５９（ａ）〜（ｄ）に示すように、第４仮想画素ＶＰ４を構成するサブ画素が、シアンサブ画素Ｃおよび黄サブ画素Ｙに加えてマゼンタサブ画素Ｍを含んでいてもよい。
【０１７２】
あるいは、図６０（ａ）および（ｂ）に示すように、第３仮想画素ＶＰ３を構成するサブ画素が、赤サブ画素Ｒおよび緑サブ画素Ｇに加えて青サブ画素Ｂを含んでいるとともに、第４仮想画素ＶＰ４を構成するサブ画素が、シアンサブ画素Ｃおよび黄サブ画素Ｙに加えてマゼンタサブ画素Ｍを含んでいてもよいし、図６０（ｃ）および（ｄ）に示すように、第３仮想画素ＶＰ３を構成するサブ画素が、赤サブ画素Ｒおよび緑サブ画素Ｇに加えてマゼンタサブ画素Ｍを含んでいるとともに、第４仮想画素ＶＰ４を構成するサブ画素が、シアンサブ画素Ｃおよび黄サブ画素Ｙに加えて青サブ画素Ｂを含んでいてもよい。
【０１７３】
図５６〜図６０に示した第３仮想画素ＶＰ３および第４仮想画素ＶＰ４のそれぞれによっても、有彩色ｃｃ１２を表示することができる。
【０１７４】
また、本実施形態では、有彩色ｃｃ１２以外の有彩色についても、色解像度の向上を図ることができる。具体的には、図６１〜図７４に示すような、有彩色ｃｃ１３〜２６についても、色解像度の向上を図ることができる。
【０１７５】
図６１に示した有彩色ｃｃ１３は、色度図上で、赤サブ画素Ｒおよび緑サブ画素Ｇによって表示される赤および緑を結ぶ第１の直線Ｌ１と、青サブ画素Ｂおよび黄サブ画素Ｙによって表示される青および黄を結ぶ第２の直線Ｌ２との交点に対応する色である。この有彩色ｃｃ１３は、赤サブ画素Ｒおよび緑サブ画素Ｇを含む２つ以上のサブ画素によって構成される第３仮想画素ＶＰ３と、青サブ画素Ｂおよび黄サブ画素Ｙを含む２つ以上のサブ画素によって構成される第４仮想画素ＶＰ４のそれぞれによって表示される。なお、有彩色ｃｃ１３の色度は、黄サブ画素Ｙによって表示される黄の色度と近く、有彩色ｃｃ１３は黄であるといえる。
【０１７６】
図６２に示した有彩色ｃｃ１４は、色度図上で、赤サブ画素Ｒおよび緑サブ画素Ｇによって表示される赤および緑を結ぶ第１の直線Ｌ１と、マゼンタサブ画素Ｍおよび黄サブ画素Ｙによって表示されるマゼンタおよび黄を結ぶ第２の直線Ｌ２との交点に対応する色である。この有彩色ｃｃ１４は、赤サブ画素Ｒおよび緑サブ画素Ｇを含む２つ以上のサブ画素によって構成される第３仮想画素ＶＰ３と、マゼンタサブ画素Ｍおよび黄サブ画素Ｙを含む２つ以上のサブ画素によって構成される第４仮想画素ＶＰ４のそれぞれによって表示される。
【０１７７】
図６３に示した有彩色ｃｃ１５は、色度図上で、赤サブ画素Ｒおよびシアンサブ画素Ｃによって表示される赤およびシアンを結ぶ第１の直線Ｌ１と、青サブ画素Ｂおよび黄サブ画素Ｙによって表示される青および黄を結ぶ第２の直線Ｌ２との交点に対応する色である。この有彩色ｃｃ１５は、赤サブ画素Ｒおよびシアンサブ画素Ｃを含む２つ以上のサブ画素によって構成される第３仮想画素ＶＰ３と、青サブ画素Ｂおよび黄サブ画素Ｙを含む２つ以上のサブ画素によって構成される第４仮想画素ＶＰ４のそれぞれによって表示される。
【０１７８】
図６４に示した有彩色ｃｃ１６は、色度図上で、赤サブ画素Ｒおよびシアンサブ画素Ｃによって表示される赤およびシアンを結ぶ第１の直線Ｌ１と、マゼンタサブ画素Ｍおよび黄サブ画素Ｙによって表示されるマゼンタおよび黄を結ぶ第２の直線Ｌ２との交点に対応する色である。この有彩色ｃｃ１６は、赤サブ画素Ｒおよびシアンサブ画素Ｃを含む２つ以上のサブ画素によって構成される第３仮想画素ＶＰ３と、マゼンタサブ画素Ｍおよび黄サブ画素Ｙを含む２つ以上のサブ画素によって構成される第４仮想画素ＶＰ４のそれぞれによって表示される。
【０１７９】
図６５に示した有彩色ｃｃ１７は、色度図上で、赤サブ画素Ｒおよびシアンサブ画素Ｃによって表示される赤およびシアンを結ぶ第１の直線Ｌ１と、緑サブ画素Ｇおよび青サブ画素Ｂによって表示される緑および青を結ぶ第２の直線Ｌ２との交点に対応する色である。この有彩色ｃｃ１７は、赤サブ画素Ｒおよびシアンサブ画素Ｃを含む２つ以上のサブ画素によって構成される第３仮想画素ＶＰ３と、緑サブ画素Ｇおよび青サブ画素Ｂを含む２つ以上のサブ画素によって構成される第４仮想画素ＶＰ４のそれぞれによって表示される。なお、有彩色ｃｃ１７の色度は、シアンサブ画素Ｃによって表示されるシアンの色度と近く、有彩色ｃｃ１７はシアンであるといえる。
【０１８０】
図６６に示した有彩色ｃｃ１８は、色度図上で、赤サブ画素Ｒおよびシアンサブ画素Ｃによって表示される赤およびシアンを結ぶ第１の直線Ｌ１と、緑サブ画素Ｇおよびマゼンタサブ画素Ｍによって表示される緑およびマゼンタを結ぶ第２の直線Ｌ２との交点に対応する色である。この有彩色ｃｃ１８は、赤サブ画素Ｒおよびシアンサブ画素Ｃを含む２つ以上のサブ画素によって構成される第３仮想画素ＶＰ３と、緑サブ画素Ｇおよびマゼンタサブ画素Ｍを含む２つ以上のサブ画素によって構成される第４仮想画素ＶＰ４のそれぞれによって表示される。
【０１８１】
図６７に示した有彩色ｃｃ１９は、色度図上で、赤サブ画素Ｒおよび青サブ画素Ｂによって表示される赤および青を結ぶ第１の直線Ｌ１と、マゼンタサブ画素Ｍおよび黄サブ画素Ｙによって表示されるマゼンタおよび黄を結ぶ第２の直線Ｌ２との交点に対応する色である。この有彩色ｃｃ１９は、赤サブ画素Ｒおよび青サブ画素Ｂを含む２つ以上のサブ画素によって構成される第３仮想画素ＶＰ３と、マゼンタサブ画素Ｍおよび黄サブ画素Ｙを含む２つ以上のサブ画素によって構成される第４仮想画素ＶＰ４のそれぞれによって表示される。
【０１８２】
図６８に示した有彩色ｃｃ２０は、色度図上で、赤サブ画素Ｒおよび青サブ画素Ｂによって表示される赤および青を結ぶ第１の直線Ｌ１と、緑サブ画素Ｇおよびマゼンタサブ画素Ｍによって表示される緑およびマゼンタを結ぶ第２の直線Ｌ２との交点に対応する色である。この有彩色ｃｃ２０は、赤サブ画素Ｒおよび青サブ画素Ｂを含む２つ以上のサブ画素によって構成される第３仮想画素ＶＰ３と、緑サブ画素Ｇおよびマゼンタサブ画素Ｍを含む２つ以上のサブ画素によって構成される第４仮想画素ＶＰ４のそれぞれによって表示される。なお、有彩色ｃｃ２０の色度は、マゼンタサブ画素Ｍによって表示されるマゼンタの色度と近く、有彩色ｃｃ２０はマゼンタであるといえる。
【０１８３】
図６９に示した有彩色ｃｃ２１は、色度図上で、赤サブ画素Ｒおよび青サブ画素Ｂによって表示される赤および青を結ぶ第１の直線Ｌ１と、シアンサブ画素Ｃおよびマゼンタサブ画素Ｍによって表示されるシアンおよびマゼンタを結ぶ第２の直線Ｌ２との交点に対応する色である。この有彩色ｃｃ２１は、赤サブ画素Ｒおよび青サブ画素Ｂを含む２つ以上のサブ画素によって構成される第３仮想画素ＶＰ３と、シアンサブ画素Ｃおよびマゼンタサブ画素Ｍを含む２つ以上のサブ画素によって構成される第４仮想画素ＶＰ４のそれぞれによって表示される。
【０１８４】
図７０に示した有彩色ｃｃ２２は、色度図上で、緑サブ画素Ｇおよび青サブ画素Ｂによって表示される緑および青を結ぶ第１の直線Ｌ１と、シアンサブ画素Ｃおよび黄サブ画素Ｙによって表示されるシアンおよび黄を結ぶ第２の直線Ｌ２との交点に対応する色である。この有彩色ｃｃ２２は、緑サブ画素Ｇおよび青サブ画素Ｂを含む２つ以上のサブ画素によって構成される第３仮想画素ＶＰ３と、シアンサブ画素Ｃおよび黄サブ画素Ｙを含む２つ以上のサブ画素によって構成される第４仮想画素ＶＰ４のそれぞれによって表示される。
【０１８５】
図７１に示した有彩色ｃｃ２３は、色度図上で、緑サブ画素Ｇおよびマゼンタサブ画素Ｍによって表示される緑およびマゼンタを結ぶ第１の直線Ｌ１と、シアンサブ画素Ｃおよび黄サブ画素Ｙによって表示されるシアンおよび黄を結ぶ第２の直線Ｌ２との交点に対応する色である。この有彩色ｃｃ２３は、緑サブ画素Ｇおよびマゼンタサブ画素Ｍを含む２つ以上のサブ画素によって構成される第３仮想画素ＶＰ３と、シアンサブ画素Ｃおよび黄サブ画素Ｙを含む２つ以上のサブ画素によって構成される第４仮想画素ＶＰ４のそれぞれによって表示される。
【０１８６】
図７２に示した有彩色ｃｃ２４は、色度図上で、緑サブ画素Ｇおよびマゼンタサブ画素Ｍによって表示される緑およびマゼンタを結ぶ第１の直線Ｌ１と、青サブ画素Ｂおよび黄サブ画素Ｙによって表示される青および黄を結ぶ第２の直線Ｌ２との交点に対応する色である。この有彩色ｃｃ２４は、緑サブ画素Ｇおよびマゼンタサブ画素Ｍを含む２つ以上のサブ画素によって構成される第３仮想画素ＶＰ３と、青サブ画素Ｂおよび黄サブ画素Ｙを含む２つ以上のサブ画素によって構成される第４仮想画素ＶＰ４のそれぞれによって表示される。
【０１８７】
図７３に示した有彩色ｃｃ２５は、色度図上で、青サブ画素Ｂおよび黄サブ画素Ｙによって表示される青および黄を結ぶ第１の直線Ｌ１と、シアンサブ画素Ｃおよびマゼンタサブ画素Ｍによって表示されるシアンおよびマゼンタを結ぶ第２の直線Ｌ２との交点に対応する色である。この有彩色ｃｃ２５は、青サブ画素Ｂおよび黄サブ画素Ｙを含む２つ以上のサブ画素によって構成される第３仮想画素ＶＰ３と、シアンサブ画素Ｃおよびマゼンタサブ画素Ｍを含む２つ以上のサブ画素によって構成される第４仮想画素ＶＰ４のそれぞれによって表示される。
【０１８８】
図７４に示した有彩色ｃｃ２６は、色度図上で、緑サブ画素Ｇおよび青サブ画素Ｂによって表示される緑および青を結ぶ第１の直線Ｌ１と、シアンサブ画素Ｃおよびマゼンタサブ画素Ｍによって表示されるシアンおよびマゼンタを結ぶ第２の直線Ｌ２との交点に対応する色である。この有彩色ｃｃ２６は、緑サブ画素Ｇおよび青サブ画素Ｂを含む２つ以上のサブ画素によって構成される第３仮想画素ＶＰ３と、シアンサブ画素Ｃおよびマゼンタサブ画素Ｍを含む２つ以上のサブ画素によって構成される第４仮想画素ＶＰ４のそれぞれによって表示される。
【０１８９】
上述したように、本実施形態では、輝度解像度だけでなく、有彩色ｃｃ１２〜ｃｃ２６のうちの少なくとも１つについての色解像度を向上させることができる。
【０１９０】
（他の実施形態）
上述した実施形態１〜４では、色度図上における２つの直線（第１および第２の直線）Ｌ１およびＬ２の交点に対応する有彩色について、色解像度を向上させる場合を説明したが、第３仮想画素ＶＰ３および第４仮想画素ＶＰ４の少なくとも一方が、３つ以上のサブ画素から構成されている場合、上記の交点に対応する有彩色以外の有彩色についても色解像度を向上させることができる。以下、この点を、各画素Ｐが、赤サブ画素Ｒ、緑サブ画素Ｇ、青サブ画素Ｂ、シアンサブ画素Ｃ、マゼンタサブ画素Ｍおよび黄サブ画素Ｙの６つのサブ画素から構成されている場合を例として説明する。
【０１９１】
例えば、第３仮想画素ＶＰ３が、シアンサブ画素Ｃおよび黄サブ画素Ｙから構成されており、第４仮想画素ＶＰ４が、赤サブ画素Ｒ、緑サブ画素Ｇおよび青サブ画素Ｂから構成されていると、図７５に示すような領域ｒｅ１に対応する有彩色について、色解像度を向上させることができる。
【０１９２】
領域ｒｅ１は、色度図上で、シアンサブ画素Ｃおよび黄サブ画素Ｙによって表示されるシアンおよび黄を結ぶ直線Ｌと、赤サブ画素Ｒ、緑サブ画素Ｇおよび青サブ画素Ｂによって表示される赤、緑および青を頂点とする多角形（三角形）ＰＯとが重なる領域である。直線Ｌは、シアンサブ画素Ｃによって表示されるシアンと、黄サブ画素Ｙによって表示される黄との混色によって表示され得る色の集合を表している。また、多角形ＰＯは、赤サブ画素Ｒによって表示される赤と、緑サブ画素Ｇによって表示される緑と、青サブ画素Ｂによって表示される青との混色によって表示され得る色の集合を表している。従って、直線Ｌ１と多角形ＰＯとが重なる領域ｒｅ１に対応する有彩色は、第３仮想画素ＶＰ３によって表示され得る色でもあるし、第４仮想画素ＶＰ４によって表示され得る色でもある。そのため、領域ｒｅ１に対応する有彩色について、色解像度を向上させることができる。なお、必ずしも領域ｒｅ１に対応する有彩色のすべてについて色解像度を向上させる必要はなく、領域ｒｅ１に対応する有彩色の一部についてのみ色解像度を向上させてもよい。
【０１９３】
また、第３仮想画素ＶＰ３が、赤サブ画素Ｒ、緑サブ画素Ｇおよびシアンサブ画素Ｃから構成されており、第４仮想画素ＶＰ４が、青サブ画素Ｂ、マゼンタサブ画素Ｍおよび黄サブ画素Ｙから構成されていると、図７６に示すような領域ｒｅ２に対応する有彩色について、色解像度を向上させることができる。
【０１９４】
領域ｒｅ２は、色度図上で、赤サブ画素Ｒ、緑サブ画素Ｇおよびシアンサブ画素Ｃによって表示される赤、緑およびシアンを頂点とする第１の多角形（三角形）ＰＯ１と、青サブ画素Ｂ、マゼンタサブ画素Ｍおよび黄サブ画素Ｙによって表示される青、マゼンタおよび黄を頂点とする第２の多角形（三角形）ＰＯ２とが重なる領域である。第１の多角形ＰＯ１は、赤サブ画素Ｒによって表示される赤と、緑サブ画素Ｇによって表示される緑と、シアンサブ画素Ｃによって表示されるシアンとの混色によって表示され得る色の集合を表している。また、第２の多角形ＰＯ２は、青サブ画素Ｂによって表示される青と、マゼンタサブ画素Ｍによって表示されるマゼンタと、黄サブ画素Ｙによって表示される黄との混色によって表示され得る色の集合を表している。従って、第１の多角形ＰＯ１と第２の多角形ＰＯ２とが重なる領域ｒｅ２に対応する有彩色は、第３仮想画素ＶＰ３によって表示され得る色でもあるし、第４仮想画素ＶＰ４によって表示され得る色でもある。そのため、領域ｒｅ２に対応する有彩色について、色解像度を向上させることができる。なお、必ずしも領域ｒｅ２に対応する有彩色のすべてについて色解像度を向上させる必要はなく、領域ｒｅ２に対応する有彩色の一部についてのみ色解像度を向上させてもよい。
【０１９５】
本明細書は、以下の項目に記載の多原色表示装置を開示している。
【０１９６】
［項目１］
複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、
各画素を構成する前記複数のサブ画素を、第１仮想画素および第２仮想画素を含む複数の仮想画素に振り分け、前記複数の仮想画素のそれぞれにより無彩色を表示することができ、
さらに、各画素を構成する前記複数のサブ画素を、第３仮想画素および第４仮想画素に振り分け、前記第３仮想画素および前記第４仮想画素のそれぞれによりある有彩色を表示することができ、
前記第３仮想画素および前記第４仮想画素のそれぞれは、前記複数のサブ画素のうちの２つ以上のサブ画素によって構成されており、
前記ある有彩色は、色度図上で、前記第３仮想画素を構成する前記２つ以上のサブ画素のうちのある２つのサブ画素によって表示される２つの色同士を結ぶ第１の直線と、前記第４仮想画素を構成する前記２つ以上のサブ画素のうちのある２つのサブ画素によって表示される２つの色同士を結ぶ第２の直線との交点に対応する色である多原色表示装置。
【０１９７】
［項目２］
前記第３仮想画素によって表示される前記ある有彩色と、前記第４仮想画素によって表示される前記ある有彩色との輝度差ΔYSおよび色度差Δu'v'は、それぞれ３％以下および０．０２以下である項目１に記載の多原色表示装置。
【０１９８】
［項目３］
前記第３仮想画素を構成する前記２つ以上のサブ画素は、連続するように配置されており、
前記第４仮想画素を構成する前記２つ以上のサブ画素は、連続するように配置されている項目１または２に記載の多原色表示装置。
【０１９９】
［項目４］
各画素を構成する前記複数のサブ画素は、赤サブ画素、緑サブ画素、青サブ画素および黄サブ画素であり、
前記第３仮想画素は、前記赤サブ画素および前記緑サブ画素から構成されており、
前記第４仮想画素は、前記青サブ画素および前記黄サブ画素から構成されており、
前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である項目１から３のいずれかに記載の多原色表示装置。
【０２００】
［項目５］
前記赤サブ画素、前記緑サブ画素、前記青サブ画素および前記黄サブ画素は、行方向または列方向に沿ってこの順に配置されている項目４に記載の多原色表示装置。
【０２０１】
［項目６］
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である項目１から３のいずれかに記載の多原色表示装置。
【０２０２】
［項目７］
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記緑サブ画素および前記青サブ画素を含んでおり、
前記第４仮想画素を構成する前記２つ以上のサブ画素は、前記シアンサブ画素および前記黄サブ画素を含んでおり、
前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である項目１から３のいずれかに記載の多原色表示装置。
【０２０３】
［項目８］
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記緑サブ画素および前記青サブ画素を含んでおり、
前記ある有彩色は、色度図上で、前記赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である項目１から３のいずれかに記載の多原色表示装置。
【０２０４】
［項目９］
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である項目１から３のいずれかに記載の多原色表示装置。
【０２０５】
［項目１０］
各画素を構成する前記複数のサブ画素は、赤サブ画素、緑サブ画素、青サブ画素、シアンサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記シアンサブ画素および前記黄サブ画素を含んでおり、
前記ある有彩色は、色度図上で、前記赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である項目１から３のいずれかに記載の多原色表示装置。
【０２０６】
［項目１１］
各画素を構成する前記複数のサブ画素は、互いに同じ色を表示する２つのサブ画素を含んでおり、
前記多原色表示装置は、前記２つのサブ画素の一方のみから構成される第５仮想画素および前記２つのサブ画素の他方のみから構成される第６仮想画素のそれぞれにより別のある有彩色を表示することができる項目１から３のいずれかに記載の多原色表示装置。
【０２０７】
［項目１２］
各画素を構成する前記複数のサブ画素は、第１および第２の赤サブ画素、緑サブ画素、青サブ画素、シアンサブ画素および黄サブ画素であり、
前記第３仮想画素を構成する前記２つ以上のサブ画素は、前記第１の赤サブ画素および前記緑サブ画素を含んでおり、
前記第４仮想画素を構成する前記２つ以上のサブ画素は、前記青サブ画素および前記黄サブ画素を含んでおり、
前記ある有彩色は、色度図上で、前記第１の赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である項目１から３および１１のいずれかに記載の多原色表示装置。
【０２０８】
［項目１３］
各画素を構成する前記複数のサブ画素は、第１および第２の赤サブ画素、緑サブ画素、青サブ画素、シアンサブ画素および黄サブ画素であり、
前記第３仮想画素を構成する前記２つ以上のサブ画素は、前記緑サブ画素および前記青サブ画素を含んでおり、
前記第４仮想画素を構成する前記２つ以上のサブ画素は、前記シアンサブ画素および前記黄サブ画素を含んでおり、
前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である項目１から３および１１のいずれかに記載の多原色表示装置。
【０２０９】
［項目１４］
各画素を構成する前記複数のサブ画素は、第１および第２の赤サブ画素、緑サブ画素、青サブ画素、シアンサブ画素および黄サブ画素であり、
前記第３仮想画素を構成する前記２つ以上のサブ画素は、前記第１の赤サブ画素および前記シアンサブ画素を含んでおり、
前記第４仮想画素を構成する前記２つ以上のサブ画素は、前記緑サブ画素および前記青サブ画素を含んでおり、
前記ある有彩色は、色度図上で、前記第１の赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である項目１から３および１１のいずれかに記載の多原色表示装置。
【０２１０】
［項目１５］
各画素を構成する前記複数のサブ画素は、第１および第２の赤サブ画素、緑サブ画素、青サブ画素、シアンサブ画素および黄サブ画素であり、
前記第３仮想画素を構成する前記２つ以上のサブ画素は、前記第１の赤サブ画素および前記シアンサブ画素を含んでおり、
前記第４仮想画素を構成する前記２つ以上のサブ画素は、前記青サブ画素および前記黄サブ画素を含んでおり、
前記ある有彩色は、色度図上で、前記第１の赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である項目１から３および１１のいずれかに記載の多原色表示装置。
【０２１１】
［項目１６］
各画素を構成する前記複数のサブ画素は、第１および第２の赤サブ画素、緑サブ画素、青サブ画素、シアンサブ画素および黄サブ画素であり、
前記第３仮想画素を構成する前記２つ以上のサブ画素は、前記第１の赤サブ画素および前記緑サブ画素を含んでおり、
前記第４仮想画素を構成する前記２つ以上のサブ画素は、前記シアンサブ画素および前記黄サブ画素を含んでおり、
前記ある有彩色は、色度図上で、前記第１の赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である項目１から３および１１のいずれかに記載の多原色表示装置。
【０２１２】
［項目１７］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記シアンサブ画素および前記黄サブ画素を含んでおり、
前記ある有彩色は、色度図上で、前記赤サブ画素および前記緑サブ画素によって表示される赤および緑を結ぶ前記第１の直線と、前記シアンサブ画素および前記黄サブ画素によって表示されるシアンおよび黄を結ぶ前記第２の直線との交点に対応する色である請求項１から３のいずれかに記載の多原色表示装置。
【０２１３】
［項目１８］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記緑サブ画素によって表示される赤および緑を結ぶ前記第１の直線と、前記青サブ画素および前記黄サブ画素によって表示される青および黄を結ぶ前記第２の直線との交点に対応する色である項目１から３のいずれかに記載の多原色表示装置。
【０２１４】
［項目１９］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記緑サブ画素を含んでおり、
前記第４仮想画素を構成する前記２つ以上のサブ画素は、前記マゼンタサブ画素および前記黄サブ画素を含んでおり、
前記ある有彩色は、色度図上で、前記赤サブ画素および前記緑サブ画素によって表示される赤および緑を結ぶ前記第１の直線と、前記マゼンタサブ画素および前記黄サブ画素によって表示されるマゼンタおよび黄を結ぶ前記第２の直線との交点に対応する色である項目１から３のいずれかに記載の多原色表示装置。
【０２１５】
［項目２０］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記青サブ画素および前記黄サブ画素を含んでおり、
前記ある有彩色は、色度図上で、前記赤サブ画素および前記シアンサブ画素によって表示される赤およびシアンを結ぶ前記第１の直線と、前記青サブ画素および前記黄サブ画素によって表示される青および黄を結ぶ前記第２の直線との交点に対応する色である項目１から３のいずれかに記載の多原色表示装置。
【０２１６】
［項目２１］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記マゼンタサブ画素および前記黄サブ画素を含んでおり、
前記ある有彩色は、色度図上で、前記赤サブ画素および前記シアンサブ画素によって表示される赤およびシアンを結ぶ前記第１の直線と、前記マゼンタサブ画素および前記黄サブ画素によって表示されるマゼンタおよび黄を結ぶ前記第２の直線との交点に対応する色である項目１から３のいずれかに記載の多原色表示装置。
【０２１７】
［項目２２］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記緑サブ画素および前記青サブ画素を含んでおり、
前記ある有彩色は、色度図上で、前記赤サブ画素および前記シアンサブ画素によって表示される赤およびシアンを結ぶ前記第１の直線と、前記緑サブ画素および前記青サブ画素によって表示される緑および青を結ぶ前記第２の直線との交点に対応する色である項目１から３のいずれかに記載の多原色表示装置。
【０２１８】
［項目２３］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記シアンサブ画素を含んでおり、
前記第４仮想画素を構成する前記２つ以上のサブ画素は、前記緑サブ画素および前記マゼンタサブ画素を含んでおり、
前記ある有彩色は、色度図上で、前記赤サブ画素および前記シアンサブ画素によって表示される赤およびシアンを結ぶ前記第１の直線と、前記緑サブ画素および前記マゼンタサブ画素によって表示される緑およびマゼンタを結ぶ前記第２の直線との交点に対応する色である項目１から３のいずれかに記載の多原色表示装置。
【０２１９】
［項目２４］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記青サブ画素を含んでおり、
前記第４仮想画素を構成する前記２つ以上のサブ画素は、前記マゼンタサブ画素および前記黄サブ画素を含んでおり、
前記ある有彩色は、色度図上で、前記赤サブ画素および前記青サブ画素によって表示される赤および青を結ぶ前記第１の直線と、前記マゼンタサブ画素および前記黄サブ画素によって表示されるマゼンタおよび黄を結ぶ前記第２の直線との交点に対応する色である項目１から３のいずれかに記載の多原色表示装置。
【０２２０】
［項目２５］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記青サブ画素を含んでおり、
前記第４仮想画素を構成する前記２つ以上のサブ画素は、前記緑サブ画素および前記マゼンタサブ画素を含んでおり、
前記ある有彩色は、色度図上で、前記赤サブ画素および前記青サブ画素によって表示される赤および青を結ぶ前記第１の直線と、前記緑サブ画素および前記マゼンタサブ画素によって表示される緑およびマゼンタを結ぶ前記第２の直線との交点に対応する色である項目１から３のいずれかに記載の多原色表示装置。
【０２２１】
［項目２６］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記赤サブ画素および前記青サブ画素を含んでおり、
前記第４仮想画素を構成する前記２つ以上のサブ画素は、前記シアンサブ画素および前記マゼンタサブ画素を含んでおり、
前記ある有彩色は、色度図上で、前記赤サブ画素および前記青サブ画素によって表示される赤および青を結ぶ前記第１の直線と、前記シアンサブ画素および前記マゼンタサブ画素によって表示されるシアンおよびマゼンタを結ぶ前記第２の直線との交点に対応する色である項目１から３のいずれかに記載の多原色表示装置。
【０２２２】
［項目２７］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記緑サブ画素および前記青サブ画素を含んでおり、
前記第４仮想画素を構成する前記２つ以上のサブ画素は、前記シアンサブ画素および前記黄サブ画素を含んでおり、
前記ある有彩色は、色度図上で、前記緑サブ画素および前記青サブ画素によって表示される緑および青を結ぶ前記第１の直線と、前記シアンサブ画素および前記黄サブ画素によって表示されるシアンおよび黄を結ぶ前記第２の直線との交点に対応する色である項目１から３のいずれかに記載の多原色表示装置。
【０２２３】
［項目２８］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記緑サブ画素および前記マゼンタサブ画素を含んでおり、
前記第４仮想画素を構成する前記２つ以上のサブ画素は、前記シアンサブ画素および前記黄サブ画素を含んでおり、
前記ある有彩色は、色度図上で、前記緑サブ画素および前記マゼンタサブ画素によって表示される緑およびマゼンタを結ぶ前記第１の直線と、前記シアンサブ画素および前記黄サブ画素によって表示されるシアンおよび黄を結ぶ前記第２の直線との交点に対応する色である項目１から３のいずれかに記載の多原色表示装置。
【０２２４】
［項目２９］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記緑サブ画素および前記マゼンタサブ画素を含んでおり、
前記第４仮想画素を構成する前記２つ以上のサブ画素は、前記青サブ画素および前記黄サブ画素を含んでおり、
前記ある有彩色は、色度図上で、前記緑サブ画素および前記マゼンタサブ画素によって表示される緑およびマゼンタを結ぶ前記第１の直線と、前記青サブ画素および前記黄サブ画素によって表示される青および黄を結ぶ前記第２の直線との交点に対応する色である項目１から３のいずれかに記載の多原色表示装置。
【０２２５】
［項目３０］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記青サブ画素および前記黄サブ画素を含んでおり、
前記第４仮想画素を構成する前記２つ以上のサブ画素は、前記シアンサブ画素および前記マゼンタサブ画素を含んでおり、
前記ある有彩色は、色度図上で、前記青サブ画素および前記黄サブ画素によって表示される青および黄を結ぶ前記第１の直線と、前記シアンサブ画素および前記マゼンタサブ画素によって表示されるシアンおよびマゼンタを結ぶ前記第２の直線との交点に対応する色である項目１から３のいずれかに記載の多原色表示装置。
【０２２６】
［項目３１］
各画素を構成する前記複数のサブ画素は、赤サブ画素、緑サブ画素、青サブ画素、シアンサブ画素、マゼンタサブ画素および黄サブ画素であり、
前記第３仮想画素を構成する前記２つ以上のサブ画素は、前記緑サブ画素および前記青サブ画素を含んでおり、
前記第４仮想画素を構成する前記２つ以上のサブ画素は、前記シアンサブ画素および前記マゼンタサブ画素を含んでおり、
前記ある有彩色は、色度図上で、前記緑サブ画素および前記青サブ画素によって表示される緑および青を結ぶ前記第１の直線と、前記シアンサブ画素および前記マゼンタサブ画素によって表示されるシアンおよびマゼンタを結ぶ前記第２の直線との交点に対応する色である項目１から３のいずれかに記載の多原色表示装置。
【０２２７】
［項目３２］
複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、
各画素を構成する前記複数のサブ画素を、第１仮想画素および第２仮想画素を含む複数の仮想画素に振り分け、前記複数の仮想画素のそれぞれにより無彩色を表示することができ、
さらに、各画素を構成する前記複数のサブ画素を、第３仮想画素および第４仮想画素に振り分け、前記第３仮想画素および前記第４仮想画素のそれぞれによりある有彩色を表示することができ、
前記第３仮想画素は、前記複数のサブ画素のうちの２つ以上のサブ画素によって構成されており、前記第４仮想画素は、前記複数のサブ画素のうちの３つ以上のサブ画素によって構成されており、
前記ある有彩色は、色度図上で、前記第３仮想画素を構成する前記２つ以上のサブ画素のうちのある２つのサブ画素によって表示される２つの色同士を結ぶ直線と、前記第４仮想画素を構成する前記３つ以上のサブ画素のうちの少なくとも３つのサブ画素によって表示される少なくとも３つの色を頂点とする多角形とが重なる領域に対応する色である多原色表示装置。
【０２２８】
［項目３３］
複数の行および複数の列を含むマトリクス状に配置された複数の画素を有し、前記複数の画素のそれぞれは、互いに異なる色を表示する少なくとも４つのサブ画素を含む複数のサブ画素によって構成される多原色表示装置であって、
各画素を構成する前記複数のサブ画素を、第１仮想画素および第２仮想画素を含む複数の仮想画素に振り分け、前記複数の仮想画素のそれぞれにより無彩色を表示することができ、
さらに、各画素を構成する前記複数のサブ画素を、第３仮想画素および第４仮想画素に振り分け、前記第３仮想画素および前記第４仮想画素のそれぞれによりある有彩色を表示することができ、
前記第３仮想画素および前記第４仮想画素のそれぞれは、前記複数のサブ画素のうちの３つ以上のサブ画素によって構成されており、
前記ある有彩色は、色度図上で、前記第３仮想画素を構成する前記３つ以上のサブ画素のうちの少なくとも３つのサブ画素によって表示される少なくとも３つの色を頂点とする第１の多角形と、前記第４仮想画素を構成する前記３つ以上のサブ画素のうちの少なくとも３つのサブ画素によって表示される少なくとも３つの色を頂点とする第２の多角形とが重なる領域に対応する色である多原色表示装置。
【０２２９】
［項目３４］
前記複数の画素のそれぞれに前記複数のサブ画素を有する多原色表示パネルと、
３原色に対応した入力画像信号を、４つ以上の原色に対応した多原色画像信号に変換する信号変換回路と、を備える項目１から３３のいずれかに記載の多原色表示装置。
【０２３０】
［項目３５］
液晶表示装置である項目１から３４のいずれかに記載の多原色表示装置。
【産業上の利用可能性】
【０２３１】
本発明の実施形態によると、輝度解像度だけでなく、色解像度も向上させ得る多原色表示装置が提供される。本発明の実施形態による多原色表示装置は、高品位の表示を行うことができるので、液晶テレビをはじめとする種々の電子機器に好適に用いられる。
【符号の説明】
【０２３２】
１０    多原色表示パネル
２０    信号変換回路
２１    信号分離部
２２    ハイパスフィルタ（高域成分抽出部）
２３    サブ画素レンダリング・ダウンスケーリング部
２４    ローパスフィルタ（低域成分抽出部）
２５    多原色化処理部
２６    ダウンスケーリング部
２７    信号結合部
２８    γ補正部
２９    逆γ補正部
１００    液晶表示装置（多原色表示装置）
Ｐ    画素
ＳＰ１〜ＳＰ６    サブ画素
Ｒ    赤サブ画素
Ｇ    緑サブ画素
Ｂ    青サブ画素
Ｃ    シアンサブ画素
Ｍ    マゼンタサブ画素
Ｙｅ    黄サブ画素
ＶＰ１    第１仮想画素
ＶＰ２    第２仮想画素
ＶＰ３    第３仮想画素
ＶＰ４    第４仮想画素
ＶＰ５    第５仮想画素
ＶＰ６    第６仮想画素
【図１】
2015141236.tif 000003
【図２】
2015141236.tif 000004
【図３】
2015141236.tif 000005
【図４】
2015141236.tif 000006
【図５】
2015141236.tif 000007
【図６】
2015141236.tif 000008
【図７】
2015141236.tif 000009
【図８】
2015141236.tif 000010
【図９】
2015141236.tif 000011
【図１０】
2015141236.tif 000012
【図１１】
2015141236.tif 000013
【図１２】
2015141236.tif 000014
【図１３】
2015141236.tif 000015
【図１４】
2015141236.tif 000016
【図１５】
2015141236.tif 000017
【図１６】
2015141236.tif 000018
【図１７】
2015141236.tif 000019
【図１８】
2015141236.tif 000020
【図１９】
2015141236.tif 000021
【図２０】
2015141236.tif 000022
【図２１】
2015141236.tif 000023
【図２２】
2015141236.tif 000024
【図２３】
2015141236.tif 000025
【図２４】
2015141236.tif 000026
【図２５】
2015141236.tif 000027
【図２６】
2015141236.tif 000028
【図２７】
2015141236.tif 000029
【図２８】
2015141236.tif 000030
【図２９】
2015141236.tif 000031
【図３０】
2015141236.tif 000032
【図３１】
2015141236.tif 000033
【図３２】
2015141236.tif 000034
【図３３】
2015141236.tif 000035
【図３４】
2015141236.tif 000036
【図３５】
2015141236.tif 000037
【図３６】
2015141236.tif 000038
【図３７】
2015141236.tif 000039
【図３８】
2015141236.tif 000040
【図３９】
2015141236.tif 000041
【図４０】
2015141236.tif 000042
【図４１】
2015141236.tif 000043
【図４２】
2015141236.tif 000044
【図４３】
2015141236.tif 000045
【図４４】
2015141236.tif 000046
【図４５】
2015141236.tif 000047
【図４６】
2015141236.tif 000048
【図４７】
2015141236.tif 000049
【図４８】
2015141236.tif 000050
【図４９】
2015141236.tif 000051
【図５０】
2015141236.tif 000052
【図５１】
2015141236.tif 000053
【図５２】
2015141236.tif 000054
【図５３】
2015141236.tif 000055
【図５４】
2015141236.tif 000056
【図５５】
2015141236.tif 000057
【図５６】
2015141236.tif 000058
【図５７】
2015141236.tif 000059
【図５８】
2015141236.tif 000060
【図５９】
2015141236.tif 000061
【図６０】
2015141236.tif 000062
【図６１】
2015141236.tif 000063
【図６２】
2015141236.tif 000064
【図６３】
2015141236.tif 000065
【図６４】
2015141236.tif 000066
【図６５】
2015141236.tif 000067
【図６６】
2015141236.tif 000068
【図６７】
2015141236.tif 000069
【図６８】
2015141236.tif 000070
【図６９】
2015141236.tif 000071
【図７０】
2015141236.tif 000072
【図７１】
2015141236.tif 000073
【図７２】
2015141236.tif 000074
【図７３】
2015141236.tif 000075
【図７４】
2015141236.tif 000076
【図７５】
2015141236.tif 000077
【図７６】
2015141236.tif 000078
【図７７】
2015141236.tif 000079
【図７８】
2015141236.tif 000080
【図７９】
2015141236.tif 000081
【図８０】
2015141236.tif 000082
【図８１】
2015141236.tif 000083
【図８２】
2015141236.tif 000084